(57)【要約】炭素を捕捉または隔離する方法は、反応ガスストリームを触媒変換器に導入して、酸化炭素中の炭素の一部分を、固体炭素と、水蒸気を含有するテールガスストリームとに変換することと、触媒変換器から使用、廃棄、または貯蔵のために固体炭素を取り出すことと、テールガスストリームの少なくとも一部分を触媒変換器に再循環させることとを含む。方法はまた、テールガスストリームから水の一部分を除去することを含んでもよい。テールガスストリームは、最初のプロセスガスストリームの一部分と、触媒変換器内で生成される水蒸気の少なくとも一部分とを含む。方法はまた、種々のストリームから水蒸気を除去することと、酸化炭素を触媒の存在下で還元剤と反応させることとを含んでもよい。酸化炭素を含有するガス源から炭素を捕捉または隔離するためのシステムも、説明される。2015514670.tif 000011
2015514670.tif 000002
【特許請求の範囲】
【請求項１】
酸化炭素含有ガスストリームから炭素を捕捉および隔離する方法であって、
少なくとも１種の酸化炭素と少なくとも１種の還元剤とを含む反応ガスストリームを触媒変換器へ導入して、前記少なくとも１種の酸化炭素の少なくとも一部分と前記少なくとも１種の還元剤の少なくとも一部分とを、触媒の存在下で、固体炭素と、水蒸気を含有するテールガスストリームとに変換することと、
前記触媒変換器から固体炭素を取り出すことと、を含む、前記方法。
【請求項２】
前記テールガスストリームの少なくとも一部分を前記触媒変換器に再循環させることをさらに含む前記方法であって、前記テールガスストリームの前記少なくとも一部分は、
最初のプロセスガスストリームからの未反応反応物質の一部分と、
前記触媒変換器内で生成される前記水蒸気の少なくとも一部分と、
を含む、請求項１に記載の方法。
【請求項３】
前記テールガスストリームの少なくとも一部分を前記触媒変換器に再循環させることは、前記触媒変換器内で生成される前記水蒸気の少なくとも一部分を除去して、乾燥テールガスストリームを形成することと、前記乾燥テールガスストリームの少なくとも一部分を前記反応ガスストリームの少なくとも一部分として使用することと、を含む、請求項２に記載の方法。
【請求項４】
前記テールガスストリームの少なくとも一部分を前記触媒変換器に再循環させることは、前記テールガスストリームを、機械冷凍の使用を伴わずに、前記触媒変換器内で生成される前記水蒸気の少なくとも一部分の凝縮を引き起こすのに十分な圧力で再循環させることを含む、請求項３に記載の方法。
【請求項５】
前記テールガスストリームを前記反応ガスストリームと混合することをさらに含む、請求項２に記載の方法。
【請求項６】
前記テールガスストリームの少なくとも一部分を前記触媒変換器に再循環させることは、前記テールガスストリームを、酸化炭素濃縮器に通過させることを含む、請求項２に記載の方法。
【請求項７】
少なくとも１種の酸化炭素と少なくとも１種の還元剤とを含む反応ガスストリームを触媒変換器へ導入することは、前記少なくとも１種の酸化炭素の一部分を前記少なくとも１種の還元剤と触媒の存在下で反応させて、固体炭素と、水蒸気を含むテールガスストリームとを形成することを含む、請求項１に記載の方法。
【請求項８】
前記テールガスストリームは、前記反応ガスストリームの未反応部分をさらに含む、請求項１または７に記載の方法。
【請求項９】
前記反応ガスストリームを、燃焼ガス排出物ストリーム、燃焼ガス排出物ストリームから分離された酸化炭素、プロセスオフガスストリーム、プロセスオフガスストリームから分離された酸化炭素、または合成ガスストリームのうちの少なくとも１つを含むように選択することをさらに含む、請求項１に記載の方法。
【請求項１０】
前記反応ガスストリームを、水素、アルカン、およびアルコール、またはそれらの混合物を含む還元ガスを含むように選択することをさらに含む、請求項１に記載の方法。
【請求項１１】
前記反応ガスストリームを、主として二酸化炭素を含む酸化炭素を含むように選択することをさらに含む、請求項１に記載の方法。
【請求項１２】
前記反応ガスストリームを、主として一酸化炭素を含む酸化炭素を含むように選択することをさらに含む、請求項１に記載の方法。
【請求項１３】
少なくとも１種の酸化炭素と少なくとも１種の還元剤とを含む前記反応ガスストリームを触媒変換器へ導入することは、機械または電気エネルギーのさらなる投入を伴わずに、前記最初のプロセスガスストリームを前記触媒変換器を通して流すのに十分な圧力で、前記最初のプロセスガスストリームを導入することを含む、請求項１に記載の方法。
【請求項１４】
機械または電気エネルギーを前記反応ガスストリームに追加することをさらに含む、請求項１に記載の方法。
【請求項１５】
少なくとも１種の酸化炭素と少なくとも１種の還元剤とを含む反応ガスストリームを触媒変換器へ導入することは、
前記反応ガスストリームを、第１の触媒変換器に通過させて、第１の固体炭素生成物と、水を含有する中間ガスストリームとを形成することと、
前記第１の触媒変換器から前記第１の固体炭素生成物を取り出すことと、
前記中間ガスストリームから水を除去して、乾燥した中間ガスストリームを形成することと、
前記乾燥した中間ガスストリームを、第２の触媒変換器に通過させて、第２の固体炭素生成物と前記テールガスストリームとを形成することと、
前記第２の固体炭素生成物を前記第２の触媒変換器から取り出すことと、
前記テールガスストリームの少なくとも一部分を前記第１の触媒変換器に再循環させることと、を含む、請求項１に記載の方法。
【請求項１６】
前記テールガスストリームの少なくとも一部分を前記触媒変換器に再循環させることは、
前記テールガスストリームを、前記テールガスストリームから水を除去することなく酸化炭素濃縮器へ送ることと、
前記水の少なくとも一部分と酸化炭素以外のガスの少なくとも一部分とを、前記酸化炭素濃縮器内で前記テールガスストリームから除去して、乾燥再循環ガスストリームを形成することと、
前記乾燥再循環ガスストリームの少なくとも一部分を前記反応ガスストリームと混合することと、を含む、請求項２または１５に記載の方法。
【請求項１７】
前記中間ガスストリームから水を除去することは、前記中間ガスストリームから水を凝縮して、選択された露点を有する乾燥した中間ガスストリームを生成することを含む、請求項１５に記載の方法。
【請求項１８】
前記中間ガスストリームから水を除去することは、前記中間ガスストリームから水を凝縮して、約０℃未満の露点を有する乾燥した中間ガスストリームを生成することを含む、請求項１５に記載の方法。
【請求項１９】
前記反応ガスストリームを精製して、少なくともいくらかの粒子状物質、少なくともいくらかの水蒸気、または少なくとも１種の不活性ガスを除去することをさらに含む、請求項１に記載の方法。
【請求項２０】
少なくとも１種の酸化炭素を含む最初のプロセスガスストリームを触媒変換器へ導入することは、前記最初のプロセスガスストリームを、ボッシュ反応のための反応触媒と約４００℃を超える温度で接触させることを含む、請求項１に記載の方法。
【請求項２１】
少なくとも１種の酸化炭素を含む最初のプロセスガスストリームを触媒変換器へ導入することは、グラファイト、グラフェン、カーボンブラック、煤、繊維状炭素、バックミンスターフラーレン、カーボンナノチューブ、カーボンプレートレット、およびナノダイヤモンドのうちの少なくとも１つを形成することを含む、請求項１に記載の方法。
【請求項２２】
前記反応ガスストリームの少なくとも一部分を、前記少なくとも１種の酸化炭素の濃度を増大させるように希薄排出物源を濃縮することによって、前記希薄排出物源から分離することをさらに含む、請求項１に記載の方法。
【請求項２３】
前記希薄排出物源を濃縮することは、不活性ガスおよび炭化水素のうちの少なくとも１つを含む前記反応ガスストリームを形成することを含む、請求項２３に記載の方法。
【請求項２４】
反応ガスストリームを触媒変換器へ導入することは、前記反応ガスストリームを、元素周期表の５族〜１０族、ランタニド、アクチニド、そのような元素の金属合金、およびそれらの組み合わせからなる群から選択される触媒材料に曝露することを含む、請求項１に記載の方法。
【請求項２５】
前記触媒材料は、Ｚｎ、Ｆｅ、Ｎｉ、Ｗ、Ｖ、Ｃｒ、Ｓｎ、Ｃｕ、Ｃｏ、Ｍｎ、およびＭｏのうちの少なくとも１つを含む、請求項２４に記載の方法。
【請求項２６】
前記触媒材料は、鋼、鋳鉄、または白鋳鉄のうちの少なくとも１つを含む、請求項１に記載の方法。
【請求項２７】
前記触媒材料は、ショット、グリット、または粉末のうちの少なくとも１つの粒子を含む、請求項１に記載の方法。
【請求項２８】
前記触媒材料は、プレート、シート、または箔のうちの少なくとも１つの形態の材料を含む、請求項１に記載の方法。
【請求項２９】
前記触媒材料は、繊維を含む、請求項１に記載の方法。
【請求項３０】
前記触媒材料は、スチールウールまたは刻まれたスチールウールを含む、請求項２９に記載の方法。
【請求項３１】
酸化炭素を含有するガス源から炭素を隔離する方法であって、
前記ガス源の前記酸化炭素内容物を濃縮して、反応ガスストリームを形成することと、
前記反応ガスストリームを触媒の存在下で還元剤と反応させて、固体炭素と、未反応酸化炭素、未反応還元剤、および水蒸気を含むテールガスストリームとを生成することと、
前記固体炭素を前記テールガスストリームから分離することと、
前記テールガスストリームの少なくとも一部分を再循環させて、前記反応ガスストリームと組み合わせることと、を含む、前記方法。
【請求項３２】
前記最初のプロセスガスストリームを触媒の存在下で還元剤と反応させることは、前記ガス源中の前記酸化炭素の少なくとも１０％を固体炭素に変換することを含む、請求項３１に記載の方法。
【請求項３３】
前記水蒸気の少なくとも一部分を前記テールガスストリームから分離することをさらに含む、請求項３１に記載のシステム。
【請求項３４】
酸化炭素を含有するガス源から炭素を隔離するためのシステムであって、
前記ガス源の前記酸化炭素内容物を濃縮して反応ガスストリームを形成するための濃縮器手段と、
前記反応ガスストリームを触媒の存在下で還元剤と反応させて、固体炭素と、未反応酸化炭素、還元剤、および水蒸気を含むテールガスストリームとを生成するための反応器手段と、
前記固体炭素を前記テールガスストリームから分離するための固体分離手段と、
前記テールガスストリームの少なくとも一部分を再循環させて、前記ガス源と組み合わせるための再循環手段と、を備える、前記システム。
【請求項３５】
前記反応器手段内で形成される前記水蒸気の少なくとも一部分を前記テールガスストリームから分離するための水分離手段をさらに備える、請求項３４に記載のシステム。
【請求項３６】
少なくとも１つの構成要素の構築材料は、前記構成要素の運転条件下でメタルダスティング腐食を制限するように選択され、前記構成要素は、前記ガス源、前記反応ガスストリーム、および前記テールガスストリームのうちの少なくとも１つと接触するように構成される、請求項３４に記載のシステム。
【発明の詳細な説明】
【技術分野】
【０００１】
優先権の主張
本出願は、２０１２年４月１６日に出願された、米国特許仮出願第６１／６２４，４６２号、「Ｍｅｔｈｏｄｓ  ａｎｄ  Ｓｙｓｔｅｍｓ  ｆｏｒ  Ｃａｐｔｕｒｉｎｇ  ａｎｄ  Ｓｅｑｕｅｓｔｅｒｉｎｇ  Ｃａｒｂｏｎ  ａｎｄ  ｆｏｒ  Ｒｅｄｕｃｉｎｇ  ｔｈｅ  Ｍａｓｓ  ｏｆ  Ｃａｒｂｏｎ  Ｏｘｉｄｅｓ  ｉｎ  ａ  Ｗａｓｔｅ  Ｇａｓ  Ｓｔｒｅａｍ」の恩典を主張するものであり、その開示は、参照によりその全体が本明細書に組み込まれる。
【０００２】
本開示の実施形態は、気体酸化炭素の固体炭素生成物への変換による炭素の捕捉および貯蔵に関する。
【背景技術】
【０００３】
背景
２０１２年２月９日に公開された米国特許出願公開第２０１２／００３４１５０Ａ１号は、本明細書の背景情報を開示し、その開示は、参照によりその全体が本明細書に組み込まれる。 
【０００４】
追加的な情報は、以下の文書で開示され、それぞれの開示は、参照によりその全体が本明細書に組み込まれる。
１．Ｄａｌｌａｓ  Ｂ．  Ｎｏｙｅｓの名義で２０１２年４月１６日に出願された米国特許出願第６１／６２４，７０２号の恩典を主張する、「Ｍｅｔｈｏｄｓ  ａｎｄ  Ｓｔｒｕｃｔｕｒｅｓ  ｆｏｒ  Ｒｅｄｕｃｉｎｇ  Ｃａｒｂｏｎ  Ｏｘｉｄｅｓ  ｗｉｔｈ  Ｎｏｎ−Ｆｅｒｒｏｕｓ  Ｃａｔａｌｙｓｔｓ」について本願と同日に出願された、国際特許出願第＿＿＿号（代理人整理番号３５２５−Ｐ１０９４５．１ＰＣ）、
２．Ｄａｌｌａｓ  Ｂ．Ｎｏｙｅｓの名義で２０１２年４月１６日に出願された米国特許出願第６１／６２４，５７３号の恩典を主張する、「Ｍｅｔｈｏｄｓ  ａｎｄ  Ｓｙｓｔｅｍｓ  ｆｏｒ  Ｔｈｅｒｍａｌ  Ｅｎｅｒｇｙ  Ｒｅｃｏｖｅｒｙ  ｆｒｏｍ  Ｐｒｏｄｕｃｔｉｏｎ  ｏｆ  Ｓｏｌｉｄ  Ｃａｒｂｏｎ  Ｍａｔｅｒｉａｌｓ  ｂｙ  Ｒｅｄｕｃｉｎｇ  Ｃａｒｂｏｎ  Ｏｘｉｄｅｓ」について本願と同日に出願された、国際特許出願番号第＿＿＿号（代理人整理番号３５２５−Ｐ１０９４６．１ＰＣ）、
３．Ｄａｌｌａｓ  Ｂ．Ｎｏｙｅｓの名義で２０１２年４月１６日に出願された米国特許出願第６１／６２４，７２３号の恩典を主張する、「Ｍｅｔｈｏｄｓ  ｆｏｒ  Ｐｒｏｄｕｃｉｎｇ  Ｓｏｌｉｄ  Ｃａｒｂｏｎ  ｂｙ  Ｒｅｄｕｃｉｎｇ  Ｃａｒｂｏｎ  Ｄｉｏｘｉｄｅ」について本願と同日に出願された、国際特許出願番号第＿＿＿号（代理人整理番号３５２５−Ｐ１０９４７．１ＰＣ）、
４．Ｄａｌｌａｓ  Ｂ．Ｎｏｙｅｓの名義で２０１２年４月１６日に出願された米国特許出願第６１／６２４，７５３号の恩典を主張する、「Ｍｅｔｈｏｄｓ  ａｎｄ  Ｒｅａｃｔｏｒｓ  ｆｏｒ  Ｐｒｏｄｕｃｉｎｇ  Ｓｏｌｉｄ  Ｃａｒｂｏｎ  Ｎａｎｏｔｕｂｅｓ，Ｓｏｌｉｄ  Ｃａｒｂｏｎ  Ｃｌｕｓｔｅｒｓ，ａｎｄ  Ｆｏｒｅｓｔｓ」について本願と同日に出願された、国際特許出願番号第＿＿＿号（代理人整理番号３５２５−Ｐ１１００１．１ＰＣ）、
５．Ｄａｌｌａｓ  Ｂ．Ｎｏｙｅｓの名義で２０１２年４月１６日に出願された米国特許出願第６１／６２４，５１３号の恩典を主張する、「Ｍｅｔｈｏｄｓ  ｆｏｒ  Ｔｒｅａｔｉｎｇ  ａｎ  Ｏｆｆｇａｓ  Ｃｏｎｔａｉｎｉｎｇ  Ｃａｒｂｏｎ  Ｏｘｉｄｅｓ」について本願と同日に出願された、国際特許出願番号第＿＿＿号（代理人整理番号３５２５−Ｐ１１００２．１ＰＣ）、
６．Ｄａｌｌａｓ  Ｂ．Ｎｏｙｅｓの名義で２０１２年４月１６日に出願された米国特許出願第６１／６２４，８４８号の恩典を主張する、「Ｍｅｔｈｏｄｓ  ｆｏｒ  Ｕｓｉｎｇ  Ｍｅｔａｌ  Ｃａｔａｌｙｓｔｓ  ｉｎ  Ｃａｒｂｏｎ  Ｏｘｉｄｅ  Ｃａｔａｌｙｔｉｃ  Ｃｏｎｖｅｒｔｅｒｓ」について本願と同日に出願された、国際特許出願番号第＿＿＿号（代理人整理番号３５２５−Ｐ１１２４８．１ＰＣ）、
７．Ｄａｌｌａｓ  Ｂ．Ｎｏｙｅｓの名義で２０１２年７月１３日に出願された米国特許出願第６１／６７１，４６４号の恩典を主張する、「Ｍｅｔｈｏｄｓ  ａｎｄ  Ｓｙｓｔｅｍｓ  ｆｏｒ  Ｆｏｒｍｉｎｇ  Ａｍｍｏｎｉａ  ａｎｄ  Ｓｏｌｉｄ  Ｃａｒｂｏｎ  Ｐｒｏｄｕｃｔｓ」について本願と同日に出願された、国際特許出願番号第＿＿＿号（代理人整理番号３５２５−Ｐ１１３６１．１ＰＣ）、および
８．Ｄａｌｌａｓ  Ｂ．Ｎｏｙｅｓの名義で２０１２年４月２３日に出願された米国特許出願第６１／６３７，２２９号の恩典を主張する、「Ｃａｒｂｏｎ  Ｎａｎｏｔｕｂｅｓ  Ｈａｖｉｎｇ  ａ  Ｂｉｍｏｄａｌ  Ｓｉｚｅ  Ｄｉｓｔｒｉｂｕｔｉｏｎ」について本願と同日に出願された、国際特許出願番号第＿＿＿号（代理人整理番号３５２５−Ｐ１１７７１ＰＣ）。
【０００５】
固体炭素は、数多くの商業的用途を有する。これらの用途としては、タイヤ、インク等のフィラー材料としてのカーボンブラックおよび炭素繊維の使用、種々の形態のグラファイトのための（例えば、電極、および遮熱材における熱分解グラファイトとしての）使用、ならびにバックミンスターフラーレンおよびカーボンナノチューブのための革新的で新たに出現した用途が挙げられる。種々の形態の固体炭素を製造するための従来の方法は、一般的に、好適な触媒の存在下での炭化水素の熱分解を含む。炭化水素は、歴史的に見て豊富な入手可能性があり、比較的低価格であるため、一般的に、炭素源として使用される。固体炭素の生成における、炭素源としての酸化炭素の使用は、殆ど未開発のままであった。
【０００６】
酸化炭素、特に二酸化炭素（ＣＯ２）は、炭化水素燃焼の排気ガス等の点排出源から、またはいくつかのプロセスオフガスから抽出されることができる豊富なガスである。ＣＯ２はまた、空気からも抽出されることができる。点排出源は、空気よりも著しく高いＣＯ２濃度を有するので、しばしばＣＯ２を採取するための経済的な供給源である。
【０００７】
ＣＯ２は、発電および化学プロセスの副産物として、益々入手可能および安価になっており、ここで、１つの課題は、ＣＯ２の捕捉およびその後の隔離によって（例えば、地層中へ注入することによって）、大気中へのＣＯ２の排出を低減または無くすことであり得る。酸化炭素はまた、坑井および埋立処理場からの天然ガス、燃焼オフガス、ポートランドセメントか焼炉オフガス、発酵オフガス、ならびに酸化炭素または合成ガスをもたらす種々の他の化学プロセス等の、他の産業的供給源の生成物である。二酸化炭素を捕捉し、その後（しばしば、地層中へ注入することによって）隔離することによって、大気への二酸化炭素の排出を低減するための試みがなされている。例えば、ＣＯ２の捕捉および隔離は、いくつかの「グリーン」石炭燃焼発電所の基礎である。現在の実務において、ＣＯ２の捕捉および隔離は、多大なコストを必要とする。したがって、ＣＯ２のための経済的に実行可能な使用、またはＣＯ２の隔離のより経済的な手段が有用であり得る。
【０００８】
種々の平衡が反応生成物として固体炭素をもたらすと同定されている、炭素、酸素、および水素の関与する多種多様な反応が存在する。炭化水素の熱分解は、一般的に酸素が殆どまたは全く存在しない状態で、固体炭素の生成に好都合である水素と炭素との間の平衡を伴う。「一酸化炭素の不均化反応」とも称されるＢｏｕｄｏｕａｒｄ反応は、一般的に水素が殆どまたは全く存在しない状態で、固体炭素の生成に好都合である炭素と酸素との間の平衡の範囲である。ボッシュ反応は、同様に固体炭素の生成に好都合である反応条件下で、炭素、酸素、および水素の全てが存在する平衡の領域内で生じ、特徴としては、反応成分中に存在する水素による酸化炭素の還元に起因する共生成物として水を有する。
【０００９】
炭化水素の熱分解と、Ｂｏｕｄｏｕａｒｄ反応と、ボッシュ反応との関係は、図１で示されるように、Ｃ−Ｈ−Ｏ平衡状態図に関して理解され得る。図１のＣ−Ｈ−Ｏ平衡状態図は、カーボンナノチューブ（「ＣＮＴ」）を含む固体炭素までの種々の既知のルートを示す。炭化水素の熱分解反応は、ＨとＣを結ぶ平衡線上、および三角形の左縁部の近くから破線の左上の領域の中で起こる。熱分解ゾーンとボッシュ反応ゾーンとの間の遷移は、反応器温度によって変化し得るので、２つの破線が示されている。Ｂｏｕｄｏｕａｒｄ反応または一酸化炭素の不均化反応は、ＯとＣを結ぶ平衡線の近く（すなわち、三角形の右縁部）で起こる。本図を横切る種々の温度に関する平衡線は、固体炭素が形成されるおおよその領域を示す。各温度について、固体炭素は、関連する平衡線の上側の領域で形成され得るが、一般的に、平衡線の下側の領域では形成されない。Ｂｏｕｄｏｕａｒｄ反応ゾーンは、三角形の右側に現れる。このゾーンでは、熱力学的にボッシュ反応よりもＢｏｕｄｏｕａｒｄ反応が好ましい。熱分解ゾーンとＢｏｕｄｏｕａｒｄ反応ゾーンとの間の領域、および特定の反応温度曲線の上側では、熱力学的にＢｏｕｄｏｕａｒｄ反応よりもボッシュ反応が好ましい。
【００１０】
ＣＮＴは、強度、通電容量、ならびに熱および電気伝導性を含む、その固有の材料特性のため、有益である。現在のＣＮＴのバルク用途としては、複合材の製造における樹脂への添加物としての用途が挙げられる。ＣＮＴの用途に関する研究および開発は、多種多様な使用用途で非常に活発であるか、または検討中である。ＣＮＴの広範囲にわたる使用に対する１つの障害は、製造コストであった。
【００１１】
米国特許第７，７９４，６９０号（Ａｂａｔｚｏｇｌｏｕ他）は、有機材料からの炭素の隔離のための、乾燥改質プロセスを教示する。Ａｂａｔｚｏｇｌｏｕは、任意で３Ｄ乾燥改質触媒を用いる、２Ｄ炭素隔離触媒を利用する方法を開示している。例えば、Ａｂａｔｚｏｇｌｏｕは、第１段階で、３Ｄ触媒上で有機材料（例えば、メタン、エタノール）およびＣＯ２を乾燥改質して合成ガスを形成し、それに続いて、ＣＮＴおよびカーボンナノフィラメントを形成するために２Ｄ炭素鋼触媒上で合成ガスの炭素隔離をするための、２段階プロセスを開示している。２Ｄ触媒は、非多孔性金属担体もしくはセラミック担体上の活性金属（例えば、Ｎｉ、Ｒｈ、Ｒｕ、Ｃｕ−Ｎｉ、Ｓｎ−Ｎｉ）、またはモノリス担体上の鉄系触媒（例えば、鋼）であり得る。３Ｄ触媒は、類似の組成であり得るか、または類似の担体上の複合触媒（例えば、Ｎｉ／ＺｒＯ２−Ａｌ２Ｏ３）であり得る。Ａｂａｔｚｏｇｌｏｕは、鉄をそのアルファ相へと変態させるために、その共晶点を超える温度で触媒の表面上に不活性ガスストリームを通過させることによる、２Ｄ触媒の事前活性化を教示している。Ａｂａｔｚｏｇｌｏｕは、２段階プロセスにおいて水を最小限にすること、または乾燥改質の第１段階中に、反応ガス混合物中に低濃度（０〜１０重量％）の水を添加することを教示している。
【００１２】
米国特許出願公開第２０１２／００３４１５０  Ａ１号は、触媒の存在下で還元剤を用いる、酸化炭素の固体炭素生成物への触媒変換のための方法を開示する。開示される方法は概して、酸化炭素を有益な固体炭素生成物へ還元するための触媒変換プロセスに関し、より具体的には、典型的には触媒の存在下での、還元剤（水素または炭化水素等）を用いた固体炭素の生成のための主要炭素源としての酸化炭素（例えば、一酸化炭素および二酸化炭素）の使用に関する。したがって、この方法は、固体炭素および水への酸化炭素（主に一酸化炭素および二酸化炭素）の触媒変換に関与する。方法は、大気、燃焼ガス、プロセスオフガス、坑井ガス、および他の酸化炭素の天然または産業的供給源を使用することができる。酸化炭素は、これらの供給源から分離され、必要に応じて濃縮されることができる。これらの方法は、種々のモルフォロジの固体炭素生成物を商業的に製造するため、ならびに酸化炭素の固体炭素および水への触媒変換のために使用することができる。
【発明の概要】
【００１３】
開示
炭素を捕捉および隔離する方法は、少なくとも１種の酸化炭素を含む最初のプロセスガスストリームを、酸化炭素中の炭素の一部分を固体炭素と水蒸気を含有する反応生成物ガスストリームとに変換するように構築および適合される触媒変換器に導入することを含むことができる。固体炭素は、その廃棄または貯蔵のために触媒変換器から取り出される。反応生成物ガスストリームの少なくとも一部分は、触媒変換器に再循環される。反応生成物ガスストリームは、最初のプロセスガスストリームの一部分と、触媒変換器中で生成される水蒸気の少なくとも一部分とを含む。
【００１４】
酸化炭素を含有するガス源から炭素を捕捉および隔離する方法は、ガス源の酸化炭素内容物を濃縮して最初のプロセスガスストリームを形成することと、最初のプロセスガスストリームを触媒の存在下で還元剤と反応させて、固体炭素と、未反応酸化炭素、未反応還元剤、および水蒸気を含む残留プロセスガスストリームとを生成することと、残留プロセスガスストリームから固体炭素を分離することと、残留プロセスガスストリームの少なくとも一部分を再循環させてガス源と組み合わせることと、を含むことができる。
【００１５】
本明細書のある実施形態において、反応時の水の分圧は、水の再循環および凝縮を含む種々の手段によって調節されて、例えば生成される炭素生成物の構造またはその組成の他の面に影響を及ぼす。水の分圧は、ある所望の炭素同素体を得るのを支援すると思われる。
【００１６】
ある実施形態では、触媒を反応に使用する前に該触媒を活性化する必要のない、鋼系触媒を含む、広範囲の安価で容易に入手可能な触媒が説明される。鋼を含む鉄合金は、アルファ鉄（オーステナイト）、ガンマ鉄、およびデルタ鉄を含む、種々の鉄の同素体を含み得る。いくつかの実施形態において、本明細書で開示される反応は、有利には鉄系触媒を利用し、ここで、鉄は、アルファ相ではない。ある実施形態では、主にオーステナイト相の鉄を含むステンレス鋼が、触媒として用いられる。
【００１７】
鉄系触媒（例えば、鋼、スチールウール）を含む触媒は、追加的な固体担体を必要とすることなく使用され得る。ある実施形態において、本明細書で開示される反応は、触媒のためのセラミック担体または金属担体を必要とすることなく進行する。固体担体を省略することは、反応器の装備を簡略化し、かつコストを削減し得る。
【００１８】
酸化炭素を含有するガス源から炭素を捕捉および隔離するためのシステムは、ガス源の酸化炭素内容物を濃縮して最初のプロセスガスストリームを形成するための濃縮器手段と、最初のプロセスガスストリームを触媒の存在下で還元剤と反応させて、固体炭素と、未反応酸化炭素、還元剤、および水蒸気を含む残留プロセスガスストリームとを生成するための反応器手段と、残留プロセスガスストリームから固体炭素を分離するための固体分離手段と、残留プロセスガスストリームの少なくとも一部分を再循環させてガス源と組み合わせるための再循環手段と、を含むことができる。
【図面の簡単な説明】
【００１９】
本開示の特徴および利点は、添付図面と関連してなされる以下の詳細な説明を参照することにより明らかになるであろう。
【００２０】
【図１】Ｃ−Ｈ−Ｏ平衡状態図を示す。
【図２】本方法の一実施形態による炭素の捕捉および隔離のための装置を示す簡略プロセスフロー図である。
【図３】水の除去および酸化炭素濃縮器への残留物の再循環を伴う単段階触媒変換器を示す簡略プロセスフロー図である。
【図４】段階間の水の除去および酸化炭素濃縮器への残留物の再循環を伴う２段階触媒変換器を示す簡略プロセスフロー図である。
【発明を実施するための形態】
【００２１】
本開示は、酸化炭素を触媒変換プロセスにおいて固体炭素に変換することによって、酸化炭素を捕捉および隔離するための方法およびシステムを含む。酸化炭素からの固体炭素の生成は、有益であり、本明細書に開示される触媒変換プロセスを通じて酸化炭素を隔離するための経済的動機付けを提供することができる。例えば、炭化水素燃焼プロセス、か焼プロセス、採鉱プロセス、精製プロセス等の任意の産業的プロセスからの酸化炭素を、本明細書に開示される通り使用することができる。システムは、酸化炭素濃縮器および触媒変換器を含むことができる。
【００２２】
方法の一例として、酸化炭素ガスストリームは、酸化炭素濃縮器から酸化炭素触媒変換ユニット内へと流れ、そこで酸化炭素ガスストリームは、メタン、水素、炭化水素、またはそれらの混合物等の還元ガスと混合される。酸化炭素のうちの少なくともいくらかは、固体炭素へと触媒的に変換され、商業利用または長期間の隔離のための貯蔵のために触媒変換器から取り出される。触媒変換器は、ボッシュ反応を促進するように選択される触媒を含む。ガスストリーム中の水蒸気の制御は、固体炭素の生成に重要である。過剰な水が存在する場合、水性ガス反応が生じることがあり、水と固体炭素が合成ガスに変換される。いくつかの触媒は、ガスストリーム中の高濃度の水によって作用が損なわれる。ボッシュ反応において水が生成されるため、生成物である水の少なくとも一部分または全てを、残留プロセスガスストリームを再循環させる前に、凝縮し、反応生成物ガスから除去してもよい。水の除去は、触媒変換システム中で、酸化炭素濃縮器中で、またはシステム内部の分離したガス処理ステップとして行うことができる。残留プロセスガスストリームは、酸化炭素濃縮器へと再循環されて戻り、そこで酸化炭素源ガスストリームまたは適切な中間ガスストリームと混合される。低減された濃度の酸化炭素または低減された体積の酸化炭素を含有する放出ガスが、触媒変換ユニットから吐出される。再循環されたガス中の水蒸気のうちのいくらかを除去することにより、形成される固体炭素のモルフォロジを制御することができる。水蒸気の分圧を変化させることは、混合物の炭素活量を変化させる。
【００２３】
炭素活量（Ａｃ）は、特定の反応条件下（例えば、温度、圧力、反応物質、濃度）で、固体炭素が形成されるかどうかの指標として使用することができる。いかなる特定の理論にも拘束されるものではないが、炭素活量は、固体炭素のどの同素体が形成されるかを決定するための鍵となるメトリックであると考えられる。より高い炭素活量は、ＣＮＴの形成をもたらす傾向があり、より低い炭素活量は、グラファイト形態の形成をもたらす傾向がある。 
【００２４】
気体反応物質から固体炭素を形成する反応に関する炭素活量は、反応平衡定数を気体生成物の分圧で乗じ、反応物質の分圧で除したものとして定義することができる。例えば、反応平衡定数Ｋを有する反応
2015514670.tif 000003
において、炭素活量Ａｃは、Ｋ・（ＰＣＯ・ＰＨ２／ＰＨ２Ｏ）として定義される。したがって、Ａｃは、ＣＯおよびＨ２の分圧に正比例し、Ｈ２Ｏの分圧に反比例する。より高いＰＨ２Ｏは、ＣＮＴ形成を阻害する傾向がある。この反応の炭素活量はまた、モル分率および全圧の観点から表すこともできる：Ａｃ＝Ｋ・ＰＴ（ＹＣＯ・ＹＨ２／ＹＨ２Ｏ）、式中ＰＴは全圧であり、Ｙは種のモル分率である。反応平衡定数は概して温度とともに変動するため、炭素活量は概して、温度とともに変動する。炭素活量はまた、消費されるモル数とは異なるモル数のガスが生成される反応に関して全圧とともに変動する。固体炭素同素体の混合物およびそのモルフォロジは、触媒および反応器中の反応ガスの炭素活量を変えることによって、達成することができる。
【００２５】
図２は、炭素を捕捉するためのシステム１００、およびシステム１００を用いて実施することができる方法の一実施形態の簡略プロセスフロー図を示す。酸化炭素を含有する供給源ガスストリーム１０２は、酸化炭素濃縮器１０４内へと流れ、その中で供給源ガスストリーム１０２の酸化炭素は濃縮される。プロセスガスストリーム１０６は、酸化炭素濃縮器１０４中で放出ガス１０８から分離される。プロセスガスストリーム１０６は、還元ガス１１０とともに触媒変換器１１２へと流れる。プロセスガスストリーム１０６が酸化炭素および還元ガスの好適な混合物を含有する場合、還元ガス１１０は任意である。固体炭素生成物１１４は、システム１００から取り出され、残留ガスストリーム１１６は、酸化炭素濃縮器１０４へと再循環されて戻る。ベントガスストリーム１１７は、典型的には、残留ガスストリーム１１６から、および不活性ガスがシステム内に蓄積しないことを確実にする触媒変換器１１２内の種々のユニット動作から抜かれる。ベントガスストリーム１１７は、触媒変換器１１２からの残留ガスストリーム１１６の実質的な一部であってもよい。
【００２６】
供給源ガスストリーム１０２は、１種以上の炭素含有構成成分を有する任意の供給源ガスを含むことができる。供給源ガスストリーム１０２はまた、炭素を含有しない構成成分を含むこともできる。例えば、供給源ガスストリーム１０２は、天然ガスもしくは他の炭化水素、水素、窒素、アンモニア、二酸化炭素、一酸化炭素、酸素、アルゴン、硫黄含有ガス、または任意の他の気体種を含むことができる。例えば、供給源ガスストリーム１０２は、合成ガスである、主に水素と一酸化炭素との混合物を含むことができ、また二酸化炭素を含むこともできる。供給源ガスストリーム１０２が炭化水素を含む場合、炭化水素は、供給源ガスストリーム１０２が供給される温度および圧力において気体であり得る。例えば、供給源ガスストリーム１０２は、低分子量アルキル、アルケニル、ならびに炭素および水素のみから成る環状炭素化合物を含むことができる。いくつかの実施形態において、供給源ガスストリーム１０２は、石油坑、埋立処理場、燃焼エンジン、発酵槽、または任意の他の動作等の産業的供給源に由来するガスを含むことができる。供給源ガスストリーム１０２は、主に一酸化炭素または二酸化炭素を含むことができる。例えば、二酸化炭素および／または一酸化炭素は、供給源ガスストリーム１０２の炭素含有構成成分の８０％超、９０％超、９５％超、またはさらには９９％超を構成することができる。他の実施形態において、供給源ガスストリーム１０２は、酸化炭素に加えて、炭素含有構成成分ガスを含むことができる。供給源ガスストリーム１０２はまた、１種以上の不活性ガス（例えば、窒素、アルゴン、ヘリウム等）を含むことができる。二酸化炭素ガスと一酸化炭素ガスとの双方を含む供給源ガスストリーム１０２は、広範な種類の産業活動によって生成され得る。二酸化炭素はまた、種々の天然の供給源（例えば、大気、ならびに天然ガス、二酸化炭素、および石油を含有する地下層）からも入手可能である。
【００２７】
酸化炭素濃縮器１０４は、供給源ガスストリーム１０２の１種以上の炭素含有構成成分の濃度を増大させることが可能な任意のデバイスであることができる。典型的には、酸化炭素濃縮器１０４は、プロセスガスストリーム１０６（供給源ガスストリーム１０２より高濃度の炭素含有構成成分を有する）を放出ガス１０８（供給源ガスストリーム１０２より低濃度の炭素含有構成成分を有する）から分離する。例えば、酸化炭素濃縮器１０４は、凝縮器、膜（例えば、セラミック膜、有機膜等）、深冷蒸留カラム、アミン吸収分離システム、圧力スイング吸収システム、および／または任意の他の酸化炭素ガス分離デバイスを含むことができる。放出ガス１０８は、供給源ガスストリーム１０２中に存在する１種以上のガスを含むことができる。例えば、放出ガス１０８は、酸素、窒素、アルゴン等を含むことができる。酸化炭素濃縮器１０４は、特定のガスを分離するように構成されてもよく、また任意の選択された純度（すなわち、ＣＯ、ＣＯ２、または別の炭素含有構成成分の濃度）のプロセスガスストリーム１０６を提供するように連続してまたは平行して稼働される２つ以上のデバイスを含んでもよい。放出ガス１０８は、さらに精製され、大気中へと排気されることができる。典型的には、酸化炭素濃縮器１０４から吐出される放出ガス１０８は、供給源ガスストリーム１０２より低濃度の酸化炭素を含有する。酸化炭素濃縮器１０４は、主としてまたは本質的にＣＯおよびＣＯ２から成るプロセスガスストリーム１０６を生成することができる。例えば、プロセスガスストリーム１０６は、少なくとも９０％のＣＯおよびＣＯ２、少なくとも９５％のＣＯおよびＣＯ２、またはさらには少なくとも９８％のＣＯおよびＣＯ２を含むことができる。
【００２８】
酸化炭素濃縮器１０４は典型的には、水を分離してプロセスガスストリーム１０６中の水蒸気圧を制御するための手段を含む。水ストリーム１１５は、酸化炭素濃縮器１０４から除去されて、放出されるかまたは少なくともいくらかの還元ガス１１０を提供するように電解されてもよい。水ストリーム１１５を除去してプロセスガスストリーム１０６中の結果として生じる水蒸気を制御するための多数の好適な手段が存在する。一実施形態において、水ストリーム１１５は、プロセスガスストリーム１０６中の水蒸気濃度を制御するための好適な制御装置を有する１つ以上の凝縮器によって、供給源ガスストリーム１０２、残留ガスストリーム１１６、またはそれらの混合物から分離される。別の実施形態では、水ストリーム１１５は、大気脚凝縮器の手段によって分離される。触媒変換器１１２の反応器内部の水蒸気圧は、形成される固体炭素の同素体およびモルフォロジ、固体炭素の堆積速度、ならびに触媒活性に影響を及ぼし得、触媒変換器１１２から所望の動作および固体炭素生成物の品質を達成するように制御され得る。
【００２９】
いくつかの実施形態において、放出ガス１０８は、供給源ガスストリーム１０２中に含有される炭素含有構成成分の一部分を含むことができる。他の実施形態では、放出ガス１０８は、炭素含有構成成分を実質的に含まなくてもよい（例えば、放出ガス１０８は、１０％未満、５％未満、１％未満、またはさらには０．１％未満の炭素含有構成成分を含有してもよい）。放出ガス１０８は、典型的には、供給源ガスストリーム１０２の炭素含有量より低い炭素含有量を有する。例えば、放出ガス１０８は、供給源ガスストリーム１０２の炭素含有量の１０％未満の炭素含有量、供給源ガスストリーム１０２の炭素含有量の５％未満の炭素含有量、供給源ガスストリーム１０２の炭素含有量の１％未満の炭素含有量、またはさらには供給源ガスストリーム１０２の炭素含有量の０．１％未満の炭素含有量を有することができる。
【００３０】
酸化炭素濃縮器１０４の構成および動作は、プロセスの要件（例えば、ガスの流速、圧力、エネルギー入手可能性、環境規制、安全性規制、コスト等）に依存し得る。例えば、経済的側面により、プロセスガスストリーム１０６と放出ガス１０８との双方がいくらかの炭素含有構成成分を含有することが要求される場合がある。すなわち、炭素含有構成成分全体をプロセスガスストリーム１０６中へ分離することは、有益でない場合がある。そのような場合、特定の炭素含有構成成分（または、特定の炭素含有構成成分の一部分）は、放出ガス１０８とともに排気されるか、または別の動作で処理されてもよい。
【００３１】
プロセスガスストリーム１０６および還元ガス１１０は、触媒変換器１１２へ入る。還元ガス１１０は、プロセスガスストリーム１０６の炭素含有構成成分の触媒変換プロセスを促進するための追加の種を含んでもよい。還元ガス１１０は、例えば、水素、メタン、別の炭化水素等を含むことができる。還元ガス１１０は、存在する場合、触媒変換器１１２へ入る前に（例えば、混合バルブ内で）、または触媒変換器１１２内でプロセスガスストリーム１０６と混合されることができる。
【００３２】
触媒変換器１１２は、典型的には、触媒変換器から固体炭素生成物１１４を取り出すための手段と反応ガスを触媒変換器１１２内部で加熱および循環させるための好適な付属物とを伴う、プロセスガスストリーム１０６中の酸化炭素還元ガスの少なくとも一部分を固体炭素生成物および水に変換するのに好適な少なくとも１つの反応器から成るシステムである。触媒変換器１１２の反応器部分は、グラファイト（例えば、熱分解グラファイト）、グラフェン、カーボンブラック、煤、繊維状炭素、バックミンスターフラーレン、単層ＣＮＴ、多層ＣＮＴ、カーボンプレートレット、またはナノダイヤモンド等の固体炭素生成物への炭素含有構成成分（すなわち、ガス）の変換に好ましい条件を提供するように構成される、任意の反応器であってよい。触媒変換器１１２は、所望の固体炭素生成物の形成または収集を促進する任意の反応器設計または反応器設計の組み合わせの１つ以上の反応器を含むことができる。例えば、触媒変換器１１２は、流動床反応器、流体壁（ｆｌｕｉｄ−ｗａｌｌ）反応器、充填床反応器、エアロゾル反応器等を含むことができる。
【００３３】
いくつかの実施形態において、触媒変換器１１２は、１つ以上のエアロゾル反応器を含むことができ、該反応器中では、触媒は特定のサイズ分布のために予め形成されて選択され、液体またはキャリアガス溶液中へ混合され、次いで、（例えば、エレクトロスプレーを介して）反応器中へ噴霧される。固体炭素粒子は、触媒上に形成されてもよく、粒子は、触媒変換器１１２または関連する配管内に沈降または堆積し得る。ガス流は、生成物を触媒変換器１１２の外へ送達することができる。別の実施形態において、触媒変換器１１２は、１つ以上の流動床反応器を含み、触媒粒子または触媒被覆粒子がその中へ導入され、該反応器中では、固体炭素が該粒子の表面で成長する。固体炭素は、触媒変換器１１２の反応器部分中でエルトリエーションされ、反応ガス中に同伴されて触媒変換器１１２の反応器部分の外へ運ばれてもよく、または表面に固体炭素が付着した触媒粒子が採取され、固体炭素が表面から取られてもよく、および触媒粒子は任意で、触媒変換器１１２の反応器部分へ戻されてもよい。
【００３４】
触媒変換器１１２は、１つ以上のバッチ反応器を含むことができ、該反応器中では、触媒は、固定された固体表面であるか、または固定された固体表面上に載置される（例えば、不活性基材上に堆積された触媒ナノ粒子）。そのような実施形態では、固体炭素は、触媒上に形成され、触媒および固体炭素生成物１１４は、触媒変換器１１２から定期的に取り出されることができる。あるいは、触媒変換器１１２は、連続した反応器を含むことができ、ここでは、固体炭素が形成されながら固体炭素生成物１１４が触媒から取られる。いくつかの実施形態において、固体触媒または固体基材上に載置された触媒は、流れているガスストリーム中を通過し、結果として生じる固体炭素生成物１１４が採取され、固体表面が触媒変換器１１２へ再生または再導入される。固体触媒は、触媒材料（例えば、クロム、モリブデン、コバルト、鉄、もしくはニッケルを含有する合金もしくは超合金の固体片、または金属の混合物）、または触媒材料が載置される不活性基材であることができる。
【００３５】
一実施形態において、触媒変換器１１２は、触媒を保持する一方で、固体炭素生成物１１４をガス流中に同伴させ、所望のサイズに到達した時点で反応ゾーンからロフトされることを可能にするように設計される流動床反応器を含んでもよい。反応器の形状およびガスの流速は、エルトリエートの滞留時間および対応する固体炭素生成物１１４のサイズ（例えば、ＣＮＴの長さ）を制御することができる。
【００３６】
触媒変換器１１２の反応条件（例えば、時間、温度、圧力、反応物質の分圧、水蒸気の分圧、触媒特性等）は、選択されたタイプ、モルフォロジ、純度、均一性等の固体炭素を生成するように最適化することができる。例えば、条件は、ＣＮＴの形成を促進するように選択することができる。
【００３７】
本明細書に開示される方法は、種々の分離技術を含むことができる。酸化炭素および還元ガスを触媒変換器１１２中で反応させた後、結果として生じる固体炭素生成物１１４は、触媒変換器１１２から取り出されて、長期間の隔離のために貯蔵されてもよいし、商業用製品として販売されてもよいし、別の生成物の生成等に使用されてもよい。残留ガスストリーム１１６は、固体炭素生成物１１４の反応および分離後に触媒変換器１１２中に残留するガスを含む。残留ガスストリーム１１６から固体炭素生成物１１４を分離するための技術は、触媒変換器１１２に使用される反応器のタイプに依存し得る。一実施形態では、固体炭素生成物１１４を分離および収集するために、サイクロン分離器が使用される。別の実施形態では、固体炭素生成物１１４を分離および収集するために、ベンチュリースクラバが使用される。さらに別の実施形態では、固体炭素生成物１１４を分離および収集するために、バッグハウスが使用される。固体炭素生成物１１４は、エルトリエーション、遠心分離、電気集塵、濾過、洗浄集塵（ｓｃｒｕｂｂｉｎｇ）、または任意の他の方法によって、残留ガスストリーム１１６から収集および分離されることができる。
【００３８】
残留ガスストリーム１１６は、酸化炭素濃縮器１０４へ再循環されて戻ることができ、またはベントガスストリーム１１７の一部もしくはベントガスストリーム１１７全体として放出されることができる。残留ガスストリーム１１６は、酸化炭素濃縮器１０４へ入る前に、または酸化炭素濃縮器１０４内で、供給源ガスストリーム１０２と混合されることができる。いくつかの実施形態において、残留ガスストリーム１１６またはその一部分は、プロセスガスストリーム１０６等の別のガスと混合されることができる。
【００３９】
典型的には、ガスは、触媒変換器１１２内部のみで再循環されない（ただし、いくらかの循環が触媒変換器１１２内部で生じることがある）。代わりに、残留ガスストリーム１１６は、酸化炭素濃縮器１０４へ再循環される。残留ガスストリーム１１６は次に、供給源ガスストリーム１０２とともに再処理される。残留ガスストリーム１１６中の酸化炭素は、再濃縮され、蓄積された不活性ガスまたは非反応性成分は、放出ガス１０８によって排除されることができる。あるいは、残留ガスストリーム１１６は、大気、地質学的貯蔵所、または別のプロセスへ放出されてもよい。
【００４０】
図３は、炭素を捕捉および隔離するためのシステム２００ならびにシステム２００を用いて実施することができる方法の別の実施形態の簡略プロセスフロー図を示す。システム２００は、水がシステム２００内で中間ガスストリーム２０２から除去されるという点で、図２のシステム１００と異なる。上に説明される通り、供給源ガスストリーム１０２は、酸化炭素濃縮器１０４に入り、その中では、供給源ガスストリーム１０２中の炭素含有構成成分が濃縮される。水ストリーム１１５は、酸化炭素濃縮器１０４から除去されることができ、放出されるかまたは還元ガス１１０の少なくともいくらかを提供するように電解されることができる。結果として生じるプロセスガスストリーム１０６（濃縮された炭素含有構成成分を含有する）は、触媒変換器１１２中で、または触媒変換器１１２へ入る前に、還元ガス１１０（例えば、水素、メタン、別の炭化水素等）と混合される。触媒変換器１１２内に形成される固体炭素生成物１１４は、上に説明される通りに取り出される。
【００４１】
触媒変換器１１２を出る中間ガスストリーム２０２は、酸化炭素濃縮器１０４へと再循環されて戻る前に、水除去デバイス２０４を通過する。水除去デバイス２０４は、乾燥した中間ガスストリーム２０６から水ストリーム２０８を分離する。水除去デバイス２０４は、例えば、凝縮器であってもよい。乾燥した中間ガスストリーム２０６は、２０℃未満、０℃未満、またはさらには−２０℃未満の露点を有することができる。水ストリーム２０８は、触媒変換器１１２中で形成される水蒸気および／または供給源ガスストリーム１０２中に存在する水を含むことができる（例えば、蒸気、水滴として、エアロゾル粒子上の被覆物として、水和された固体に結合されて等）。水ストリーム２０８は、収集されるか、貯蔵されるか、または他の動作に使用されることができる。
【００４２】
乾燥した中間ガスストリーム２０６は、酸化炭素濃縮器１０４の前に、または酸化炭素濃縮器１０４の中で、供給源ガスストリーム１０２と混合されることができる。他の実施形態では、乾燥した中間ガスストリーム２０６は、プロセスガスストリーム１０６と混合されることができる。低減された濃度の酸化炭素を含有する放出ガス１０８は、酸化炭素濃縮器１０４から放出されることができる。
【００４３】
図２に示されるシステム１００は、酸化炭素濃縮器１０４から分離した水除去デバイスを含まない。すなわち、残留ガスストリーム１１６は、酸化炭素濃縮器１０４へ再循環され、水の除去は、酸化炭素濃縮器により直接生じる。水の一部は、放出ガス１０８中で除去されることもできる。図３に示されるシステム２００は、結果として生じる水２０８が有益である状況において、例えば、油および坑井ガスの処理において、ならびに十分な真水源を欠いている環境において、図２に示されるシステム１００より好ましい場合がある。システム２００はまた、触媒変換器１１２および／または酸化炭素濃縮器１０４の動作への水の干渉を制限または防止することができる。いくつかの実施形態において、水除去デバイス２０４は、酸化炭素濃縮器１０４の水除去能力を上回るさらなる水除去能力を提供することができる。システム１００は、水を回収することが無益である、または酸化炭素濃縮器１０４が十分な水除去設備を含む状況において、好ましい場合がある。
【００４４】
図４は、炭素を捕捉および隔離するためのシステム３００ならびにシステム３００を用いて実施することができる方法の別の実施形態の簡略プロセスフロー図を示す。システム３００は、段階間での水除去を伴う２つの触媒変換段階を含む。図２および３に関して上に説明される通り、供給源ガスストリーム１０２は、酸化炭素濃縮器１０４に入り、そこで供給源ガスストリーム中の炭素含有構成成分が濃縮される。酸化炭素濃縮器１０４は、典型的には、水を分離してプロセスガスストリーム１０６中の水蒸気圧を制御するための手段を含む。水ストリーム１１５は、酸化炭素濃縮器１０４から除去されて、放出されるかまたは還元ガス１１０の少なくともいくらかを提供するように電解されることができる。結果として生じるプロセスガスストリーム１０６（濃縮された炭素含有構成成分を含有する）は、触媒変換器１１２内で、または触媒変換器１１２へ入る前に、任意の還元ガス１１０（例えば、水素、メタン、別の炭化水素等）と混合される。触媒変換器１１２内での反応から生じる固体炭素生成物１１４は、上に説明される通り取り出される。
【００４５】
触媒変換器１１２を出る中間ガスストリーム２０２は、乾燥した中間ガスストリーム２０６から水２０８を分離する、水除去デバイス２０４へ入る。乾燥した中間ガスストリーム２０６は、濃縮された酸化炭素および還元ガスを含有することができ、第２の触媒変換器３０２へと流れる。第２の触媒変換器３０２は、酸化炭素を第２の固体炭素生成物３０６および第２の中間ガスストリーム３０４に変換する。第２の中間ガスストリーム３０４は、水、未反応の炭素含有構成成分の一部分、および／または他のガスを含むことができる。任意で、水が、上に説明されるように第２の中間ガスストリーム３０４から凝縮されてもよい。第２の中間ガスストリーム３０４は、第２の触媒変換器３０２から酸化炭素濃縮器１０４へと再循環されて戻り、そこで第２の中間ガスストリーム３０４は供給源ガスストリーム１０２と混合される。いくつかの実施形態では、第２の中間ガスストリーム３０４は、適切な中間ガスストリーム（例えば、プロセスガスストリーム１０６、中間ガスストリーム２０２等）と混合される。放出ガス１０８は、酸化炭素濃縮器１０４およびシステム３００から吐出されることができる。システム３００では、放出ガス１０８は、図２のシステム１００におけるものより遥かに低い濃度または質量の酸化炭素を含有することができる。
【００４６】
固体炭素生成物１１４および第２の固体炭素生成物３０６は、それぞれ、触媒変換器１１２および第２の触媒変換器３０２から取り出されることができる。固体炭素生成物１１４および第２の固体炭素生成物３０６のいずれかまたは双方は、商業的に販売可能な製品として使用されることができ、または長期間の隔離のために適切な方法で貯蔵されることができる。固体炭素生成物１１４および第２の固体炭素生成物３０６は、同一のまたは異なるモルフォロジ、粒径等を有する物質を含むことができる。固体炭素生成物１１４および第２の固体炭素生成物３０６はその後、販売可能な製品を形成するために混合されることができる。
【００４７】
図４に例証されるシステム３００は、炭素含有構成成分が複数の触媒変換段階の有益な使用のために供給源ガスストリーム１０２中で十分に濃縮される状況において、有益な場合がある。いくつかの実施形態では、さらなる変換を促進するために、追加の触媒変換段階を使用することができる。触媒変換段階の最適な数は、触媒変換器１１２、３０２の効率、入力流速、生成物のタイプおよび分量、生成物の数、エネルギーコスト、設備コスト、維持コスト、環境規制、生成物に期待される需要等を含む、多数の要因に依存し得る。
【００４８】
図４に例証されるシステム３００において、水除去デバイス２０４は、第２の触媒変換器３０２へ入る乾燥した中間ガスストリーム２０６の水蒸気の所望の分圧を達成するように制御されることができる。水蒸気分圧の制御は、固体炭素生成物１１４または第２の固体炭素生成物３０６の均一な品質、および炭素形成のキネティクスを促進するために重要であることがある。別の水除去デバイスが、第２の触媒変換器３０２の後、または酸化炭素濃縮器１０４の後に追加されてもよい。
【００４９】
システム１００、２００、３００は、システム１００、２００、３００内への、システム１００、２００、３００内部の、およびシステム１００、２００、３００外への材料の移動を可能にするためのポンプ、配管、バルブ、取り付け具等を含むことができる。いくつかの実施形態では、複数のユニット動作が、平行してまたは連続して行われ得る。例えば、プロセスガスストリーム１０６は、分割され、２つの分離した触媒変換器１１２内へ通すことができる。
【００５０】
いくつかの実施形態において、供給源ガスストリーム１０２または還元ガス１１０は、システム１００、２００、３００へ入る前に加圧されることができる。供給源ガスストリーム１０２または還元ガス１１０の圧力は、さらなる圧縮または他のエネルギー投入を伴わないシステム１００、２００、３００を通じた材料の移動を引き起こすのに十分であることができる。いくつかの実施形態では、供給源ガスストリーム１０２または還元ガス１１０は、システム１００、２００、３００へ入る前に、精製、乾燥、または別の方法で処理されることができる。
【００５１】
複数の触媒変換器１１２、３０２を用いる方法では、段階間水除去によって後続段階で形成される固体炭素の反応速度およびタイプを調節することができる。触媒変換器１１２へ入るプロセスガスストリーム１０６の圧力が十分に高い場合、ガスは、さらなる機械エネルギーの追加を伴わずに、触媒変換器１１２、３０２、および水除去デバイス２０４を通過することができる。そのような圧力は、酸化炭素濃縮器１０４の放出時に提供され得る。例えば、そのような圧力は、供給源ガスストリーム１０２の圧力によって提供され得る。他の実施形態では、プロセスガスストリーム１０６または乾燥した中間ガスストリーム２０６は、システム１００、２００、３００内部の１つ以上の圧縮機によって加圧されることができる。いくつかの実施形態では、段階間水除去は、機械冷凍（例えば、空気冷却器または水冷却器）の使用を伴わずに行われ得る。
【００５２】
図に示される、および本明細書に説明される動作のいずれにおいても、制御器は、１つ以上のセンサから受信される信号によって指示される通りに選択される条件を維持するように構成されることができる。例えば、システム１００、２００、３００は、材料取扱い、ガス組成制御、混合、温度制御、および／または圧力制御、流速制御等のための適切な手段を含むことができる。
【００５３】
本明細書に説明される方法およびシステムは、種々の用途において有益であることができる。例えば、システム１００、２００、３００は、他の炭素の捕捉および隔離システムよりも低い資本コストまたは稼働コストを有することができる。供給源ガスストリーム１０２または還元ガス１１０が、システム１００、２００、３００全体を移動するのに十分な高い圧力でシステム１００、２００、３００に入る場合、内部ポンプ、機械冷凍、または他の動作を省略することができる。したがって、そのような動作の経費、維持、およびエネルギーコストを回避することができる。また、水除去デバイス２０４の使用は、水を含有する供給源ガスストリーム１０２の処理を可能にすることができる。
【００５４】
さらに、システム１００、２００、３００は、１種以上の有益な生成物を生成することができる。例えば、固体炭素生成物１１４および第２の固体炭素生成物３０６は、種々の商業的用途に使用することができる。いくつかの実施形態では、水２０８は、関連する産業的用途に使用される、精製等されることができる有益な生成物であることができる。いくつかの実施形態では、水２０８は、水素および酸素を形成するように電解または熱分解することができ、水素は次に還元ガス１１０の少なくとも一部分を形成することができる。
【００５５】
より高濃度の酸化炭素を有するプロセスガスストリーム１０６を提供するための酸化炭素濃縮器１０４の使用は、触媒変換器１１２または第２の触媒変換器３０２の必要とされるサイズを低減することによって、触媒変換器１１２または第２の触媒変換器３０２の資本コストまたは稼働コストを低減することができる。より低い資本コストおよび稼働コストは、炭素の捕捉および酸化炭素の隔離の経済的妥当性を増強することができる。
【００５６】
いくつかの実施形態において、濃縮された酸化炭素ストリーム（例えば、プロセスガスストリーム１０６または乾燥した中間ガスストリーム２０６の一部分）は、酸化炭素濃縮デバイス（例えば、酸化炭素濃縮器１０４）から別のプロセスへまたは貯蔵へと送ることができる。酸化炭素の固体炭素生成物への変換は、炭素の捕捉および隔離のための手段を提供し、それによって大気へ放出される酸化炭素の量を潜在的に減少させる。例えば、二酸化炭素は、地形的に隔離される（ｇｅｏｓｅｑｕｅｓｔｅｒｅｄ）、または地下構造内に貯蔵されることができる。そのような変換は、廃棄コスト（例えば、規制料、精製等）の回避に加えて、販売または他の生成物における使用に有益な生成物を提供することができる。供給源ガスストリーム１０２の全部かまたは一部かが固体炭素に変換されるかどうかは、個々の場合に応じて成される経済的判断である。本開示の方法は、状況が求め得るように、供給源ガスストリーム１０２中の酸化炭素の一部、全部、または本質的に全部を変換するために使用することができる。
【００５７】
触媒変換器１１２、３０２は、図４に示され説明される通り、単一の触媒変換器１１２より高い効率を有する、固体炭素生成物１１４および第２の固体炭素生成物３０６を生成するための手段を提供することができる。さらに、複数の触媒変換器１１２、３０２の使用は、複数のタイプまたはグレードの固体炭素生成物を同時に形成することを可能にすることができる。各触媒変換器１１２、３０２の反応条件は、市場の状況の変化により変えてもよく、高需要生成物の生成を可能にする。そのような柔軟性は、システム３００の稼働の経済的可能性を高めることができる。複数の触媒変換器の使用は、３つ以上へと容易に拡張できることに留意されたい。
【００５８】
触媒変換器１１２、３０２内で生じる反応は、図１に示される状態図の内部領域内および右縁部上（すなわち、Ｂｏｕｄｏｕａｒｄ反応ゾーンおよびボッシュ反応ゾーン）の反応を含むことができ、ここでは固体炭素、酸素、ならびに炭素、水素、および酸素の化合物の間で平衡が確立され得る。図１の中央領域は、ＣＮＴおよび他の形態の固体炭素の形成に好都合である複数のポイントを有する。生成される固体炭素のタイプは、触媒、反応ガス、および反応条件の選択および処理を通じて選択的に制御することができる。したがって、これらの方法は、ＣＮＴ等の有益な固体炭素生成物の生成、および炭素含有ガスの処理のための有益なルートを提供することができる。
【００５９】
触媒変換器１１２、３０２は、約４５０℃〜約９００℃の温度で動作することができる。いくつかの実施形態では、触媒変換器１１２、３０２は、約６５０℃超、例えば約６８０℃超で動作することができる。触媒変換器１１２、３０２内の触媒の組成および結晶粒径は、結果として生じる固体炭素生成物のモルフォロジに影響し得る。触媒変換器１１２、３０２の温度および圧力、滞留時間、ならびに触媒の結晶粒径を含む反応条件は、選択される特徴を有する固体炭素生成物を得るように制御することができる。
【００６０】
固体炭素は、本方法の酸化炭素還元プロセスを通じて多数の異なるモルフォロジで生成することができる。生成することができる固体炭素モルフォロジのいくつかとしては、グラファイト（例えば、熱分解グラファイト）、グラフェン、カーボンブラック、繊維状炭素、バックミンスターフラーレン、単層ＣＮＴ、多層ＣＮＴ、カーボンプレートレット、およびナノダイヤモンドが挙げられる。
【００６１】
固体炭素の所望の種の形成に好ましい反応キネティクスは、好適な触媒の使用を通して確立することができる。好適な触媒としては、５族〜１０族（例えば、ニッケル、モリブデン、クロム、コバルト、タングステン、マンガン、ルテニウム、白金、イリジウム等）、アクチニド、ランタニド等の周期表の２族〜１５族から選択される金属、それらの合金、およびそれらの組み合わせが挙げられる。例えば、触媒としては、鉄、ニッケル、コバルト、モリブデン、タングステン、クロム、およびそれらの合金が挙げられる。周期表は、種々の族の付番方式を有し得ることに留意されたい。本明細書で使用されるとき、２族は、Ｂｅを含む族であり、３族は、Ｓｃを含む族であり、４族は、Ｔｉを含む族であり、５族は、Ｖを含む族であり、６族は、Ｃｒを含む族であり、７族は、Ｍｎを含む族であり、８族は、Ｆｅを含む族であり、９族は、Ｃｏを含む族であり、１０族は、Ｎｉを含む族であり、１１族は、Ｃｕを含む族であり、１２族は、Ｚｎを含む族であり、１３族は、Ｂを含む族であり、１４族は、Ｃを含む族であり、かつ１５族は、Ｎを含む族である。いくつかの実施形態では、市販の金属が、特別な調製を伴わずに使用される。触媒は、より低温での動作を促進することができる。ＣＮＴを形成する反応では、より高い反応速度はより小さい直径のＣＮＴに対応し、より低い反応速度は、より大きい直径のＣＮＴに対応し得る。
【００６２】
触媒は、ナノ粒子の形態、または固体材料中でドメインもしくは結晶粒および結晶粒界の形態、例えば、鋼または不活性基材の表面上に堆積した触媒であってもよい。触媒は、固体炭素生成物の所望の直径（例えば、ＣＮＴ直径）の特有の寸法に関連する結晶粒径を有するように選択することができる。特に好適な触媒活性金属の例は、Ｚｎ、Ｆｅ、Ｎｉ、Ｗ、Ｖ、Ｃｒ、Ｓｎ、Ｃｕ、Ｃｏ、Ｍｎ、およびＭｏである。触媒粉末は、エアロゾル溶液を注入することによって触媒変換器１１２、３０２の中またはその近くに形成されることができ、その結果、キャリア溶媒の蒸発時に選択された粒径分布をもたらす。あるいは、粉末状の触媒材料は、キャリアガス中に同伴され、触媒変換器１１２、３０２に送達されることができる。触媒および反応条件を選択することによって、プロセスは、固体炭素生成物の選択されたモルフォロジを生成するように調整され得る。触媒は、米国特許出願公開第２０１２／００３４１５０  Ａ１号に説明される通りに形成されることができる。いくつかの実施形態において、触媒は、反応に関わらない不活性酸化物等の基材または担体の上に形成することができる。しかしながら、基材は必須ではなく、他の実施形態では、触媒材料は、バルク金属、または別の材料に結合していない金属の粒子（例えば、流動床反応器内で使用することができるような、遊離した粒子、シェービング、またはショット）等の非担持材料である。
【００６３】
３０４ステンレス鋼は、広範囲の温度、圧力、およびガス組成下でＣＮＴの形成を触媒すると考えられる。しかしながら、３０４ステンレス鋼上でのＣＮＴの形成速度は比較的低いように見え、したがって３０４ステンレス鋼は、通常動作においてそれらの表面上への堆積が最小限である、プロセス設備のための構築材料として有効に使用することができる。３１６Ｌステンレス鋼は、対照的に、３０４ステンレス鋼よりも著しく高い速度で固体炭素の形成を触媒すると考えられるが、種々のモルフォロジの炭素を形成する可能性もある。したがって、３１６Ｌステンレス鋼は、高反応速度を達成するための触媒として使用することができるが、特定の反応条件が、生成物モルフォロジを制御するために維持されてもよい。触媒は、例えば、約２２重量％以下の量で、Ｃｒを含むように選択することができる。例えば、３１６Ｌステンレス鋼は、約１６重量％〜約１８．５重量％のＣｒを含有する。触媒はまた、例えば、約８重量％以上の量で、Ｎｉを含むように選択することもできる。例えば、３１６Ｌステンレス鋼は、約１０重量％〜約１４重量％のＮｉを含有する。これらのタイプの鋼の触媒は、従来のプロセスにおいて触媒として使用されるアルファ相の鉄とは対照的に、オーステナイト相の鉄を有する。３１６Ｌステンレス鋼に観察される良好な結果を考慮すると、Ｎｉおよび／またはＣｒは、Ｆｅと相乗効果を有する可能性がある。
【００６４】
触媒表面の酸化およびそれに続く還元は、結晶粒構造および結晶粒界を変化させる。いかなる特定の理論にも束縛されるものではないが、酸化は、酸化した領域内の金属触媒の表面を変化させると考えられる。その後の還元は、触媒表面のさらなる変化をもたらし得る。したがって、触媒の結晶粒径および結晶粒界は、触媒表面を酸化および還元することによって、ならびに還元ガスおよび酸化ガスへの触媒表面の曝露時間を制御することによって、制御することができる。酸化および／または還元温度は、約５００℃〜約１２００℃、約６００℃〜約１０００℃、または約７００℃〜約９００℃の範囲であり得る。結果として生じる結晶粒径は、約０．１μｍ〜約５００μｍ、約０．２μｍ〜約１００μｍ、約０．５μｍ〜約１０μｍ、または約１．０μｍ〜約２．０μｍの範囲であり得る。いくつかの実施形態では、触媒は、固体炭素を形成する反応の前または間に還元される、酸化金属（例えば、錆びた鋼）であることができる。いかなる特定の理論にも束縛されるものではないが、酸化物の除去は、触媒材料の表面に空隙または凹凸を残し、触媒材料の総表面積を増加させると考えられる。
【００６５】
触媒変換器１１２、３０２の最適温度は、触媒の組成または触媒の粒径に依存し得る。小さい粒径を有する触媒材料は、より大きい粒径を有する同一の触媒材料より低い温度で最適反応温度を有する傾向がある。例えば、ボッシュ反応は、粒径および組成ならびに所望の固体炭素生成物に応じて、鉄系触媒に関して約４００℃〜９５０℃の範囲の温度で生じ得る。一般に、グラファイトおよびアモルファス固体炭素は、より低い温度で形成し、ＣＮＴは、より高い温度で形成する。ＣＮＴは、約５５０℃を超える温度で形成することができる。一般に、反応は、ほぼ真空から４．０ＭＰａ（５８０ｐｓｉ）以上の圧力の、広範囲の圧力で進行する。例えば、ＣＮＴは、約０．０２８ＭＰａ（４．０ｐｓｉ）〜６．２ＭＰａ（９００ｐｓｉ）超の範囲の圧力で形成することができる。いくつかの実施形態において、ＣＮＴは、約０．３４ＭＰａ（５０ｐｓｉ）〜約０．４１ＭＰａ（６０ｐｓｉ）の圧力で、または約１．３ＭＰａ（２００ｐｓｉ）もしくは約４．１ＭＰａ（６００ｐｓｉ）の圧力で形成することができる。典型的には、炭素の堆積は拡散律速であるため、圧力の増大は反応速度を増大させる。
【００６６】
触媒変換器１１２、３０２に（例えば、還元ガス１１０の一部として）添加される少量の物質（例えば、硫黄）は、触媒上の炭素生成物の成長を加速する触媒促進剤であることができる。そのような促進剤は、広範な化合物の状態で存在することができる。そのような化合物は、化合物の分解温度が触媒変換器１１２、３０２の温度未満であるように選択することができる。例えば、硫黄が鉄系触媒のための促進剤として選択された場合、硫黄は、チオフェンガスとして、またはキャリアガス中のチオフェンの液滴として、触媒変換器１１２中へ導入することができる。硫黄含有促進剤の例としては、チオフェン、硫化水素、複素環硫化物、および無機硫化物が挙げられる。他の促進剤としては、鉛化合物およびビスマスが挙げられる。
【００６７】
本明細書に示され、説明されるシステムの構成要素およびゾーンは、種々の温度で動作する。例えば、触媒変換器１１２、３０２のうちの一方または双方は、少なくとも４５０℃の温度、例えば、少なくとも６５０℃の温度、または約６８０℃〜約７００℃の温度で動作することができる。酸化炭素濃縮器１０４または水除去デバイス２０４は、触媒変換器１１２、３０２より低温で動作することができる。例えば、酸化炭素濃縮器１０４または水除去デバイス２０４は、約１００℃未満、約８０℃未満、またはさらには約５０℃未満の温度で動作することができる。いくつかの実施形態において、熱は、ある材料から回収され、別の材料へ移動させることができる。代表的な熱回収システムは、１９７８年１１月２１日に刊行された「Ｓｙｓｔｅｍ  ｆｏｒ  Ｔｒｅａｔｉｎｇ  ａｎｄ  Ｒｅｃｏｖｅｒｉｎｇ  Ｅｎｅｒｇｙ  ｆｒｏｍ  Ｅｘｈａｕｓｔ  Ｇａｓｅｓ」と題された米国特許第４，１２６，０００号に説明される。
【実施例】
【００６８】
下記の実施例１〜７のために、炭素鋼クーポンを、約１．３ｍｍの厚さを有する軟鋼のシートから切断した。各クーポンは、幅約１３ｍｍおよび長さ約１８ｍｍ〜２２ｍｍであった。クーポンは、長さ約８．５ｃｍおよび幅１．５ｃｍの石英ボート中に離して配置し、ボートは、内径約２．５４ｃｍおよび長さ約１．２ｍの石英管中に端と端を接して挿入した。次いで、石英管を、管状炉中に配置した。管状炉を動作条件まで加熱して、石英管を水素ガスでパージし、クーポンの表面を還元した。管状炉が動作条件に到達した後、各クーポンの上面および下面の双方が反応ガスに露出するように、反応ガスを石英管中へ導入した（すなわち、石英管中に連続的に流した）。温度、圧力、およびガス組成を、各クーポンに関して測定または決定した。試験後に、クーポンを、石英管から取り出した。重量の変化および炭素の形成に注目した。
【００６９】
実施例１
１２個の鋼クーポンを、上に説明される通り石英管内に配置した。約２５％Ｈ２、２５％ＣＯ、２５％ＣＯ２、および２５％ＣＨ４を含有する反応ガスを、約４．０ＭＰａで石英管に導入した。ガスは、約４時間にわたって、２０００ｓｃｃｍ（立方センチメートル毎分）でクーポン上に流した。下記の表１に示される通り、約６５０℃〜約８７０℃の間の温度で、１２個のクーポンのうち８個の上に固体炭素が形成した。試験後、固体炭素をクーポンのいくつかから物理的に取り、表１に示される通り、ＢＥＴ比表面積に関して試験した。試験中に、約４１．２グラムの水をガスから収集した。
【００７０】
（表１）２５％Ｈ２、２５％ＣＯ、２５％ＣＯ２、および２５％ＣＨ４からの固体炭素形成
2015514670.tif 000004
【００７１】
実施例２
１２個の鋼クーポンを、上に説明される通り石英管内に配置した。約５０％ＣＯおよび５０％ＣＯ２を含有する反応ガスを、約４．０ＭＰａで石英管に導入した。ガスを、２０００ｓｃｃｍで約３時間、クーポン上に流した。下記の表２に示される通り、約５９０℃〜約９００℃の間の温度で、１２個のクーポンのうち１０個の上に固体炭素が形成した。試験後、固体炭素をクーポンのいくつかから物理的に取り、表２に示される通り、ＢＥＴ比表面積に関して試験した。試験中、ガスから水は収集されなかった。
【００７２】
（表２）５０％ＣＯおよび５０％ＣＯ２からの固体炭素形成
2015514670.tif 000005
【００７３】
実施例３
１２個の鋼クーポンを、上に説明される通り石英管内に配置した。約９０％ＣＯおよび１０％ＣＯ２を含有する反応ガスを、約４．０ＭＰａで石英管に導入した。ガスを、２０００ｓｃｃｍで約２時間、クーポン上に流した。下記の表３に示される通り、約５９０℃〜約９００℃の間の温度で、１２個のクーポンのうち１０個の上に固体炭素が形成した。試験後、固体炭素をクーポンのいくつかから物理的に取り、表３に示される通り、ＢＥＴ比表面積に関して試験した。試験中、ガスから水は収集されなかった。
【００７４】
（表３）９０％ＣＯおよび１０％ＣＯ２からの固体炭素形成 
2015514670.tif 000006
【００７５】
実施例４
１２個の鋼クーポンを、上に説明される通り石英管内に配置した。約９０％ＣＯおよび１０％ＣＯ２を含有する反応ガスを、約１．５ＭＰａで石英管に導入した。ガスを、２０００ｓｃｃｍで約３時間、クーポン上に流した。下記の表４に示される通り、約５３６℃〜約８９０℃の間の温度で、１２個のクーポンのうち１０個の上に固体炭素が形成した。試験後、固体炭素をクーポンのいくつかから物理的に取り、表４に示される通り、ＢＥＴ比表面積に関して試験した。試験中、ガスから水は収集されなかった。
【００７６】
（表４）９０％ＣＯおよび１０％ＣＯ２からの固体炭素形成
2015514670.tif 000007
【００７７】
実施例５
１２個の鋼クーポンを、上に説明される通り石英管内に配置した。約１３．０％Ｈ２、１５．２％ＣＯ、１０．９％ＣＯ２、５７．８％ＣＨ４、および３．０％Ａｒを含有する反応ガスを、約４１２ｋＰａで石英管に導入した。ガスを、２０００ｓｃｃｍで約６時間、クーポン上に流した。下記の表５に示される通り、約４６４℃〜約７００℃の間の温度で、１２個のクーポンのうち７個の上に固体炭素が形成した。試験後、固体炭素をクーポンのいくつかから物理的に取り、表５に示される通り、ＢＥＴ比表面積に関して試験した。試験中に、約７．９５グラムの水をガスから収集した。
【００７８】
（表５）１３．０％Ｈ２、１５．２％ＣＯ、１０．９％ＣＯ２、５７．８％ＣＨ４、および３．０％Ａｒからの固体炭素形成
2015514670.tif 000008
【００７９】
実施例６
１２個の鋼クーポンを、上に説明される通り石英管内に配置した。約１３．０％Ｈ２、１５．２％ＣＯ、１３．０％ＣＯ２、５５．８％ＣＨ４、および２．９３％Ａｒを含有する反応ガスを、約４１２ｋＰａで石英管に導入した。ガスを、２０００ｓｃｃｍで約６時間、クーポン上に流した。下記の表６に示される通り、約５３６℃〜約７９４℃の間の温度で、１２個のクーポンのうち７個の上に、固体炭素が形成した。試験後、固体炭素をクーポンのいくつかから物理的に取り、表６に示される通り、ＢＥＴ比表面積に関して試験した。試験中に、約７．３８グラムの水をガスから収集した。
【００８０】
（表６）１３．０％Ｈ２、１５．２％ＣＯ、１３．０％ＣＯ２、５５．８％ＣＨ４、および２．９３％Ａｒからの固体炭素形成
2015514670.tif 000009
【００８１】
実施例７
１２個の鋼クーポンを、上に説明される通り石英管内に配置した。約１５．２％Ｈ２、１３．０％ＣＯ、８．７％ＣＯ２、５９．９％ＣＨ４、および３．１５％Ａｒを含有する反応ガスを、約４１２ｋＰａで石英管に導入した。ガスを、２０００ｓｃｃｍで約６時間、クーポン上に流した。下記の表７に示される通り、約５２３℃〜約７８９℃の間の温度で、１２個のクーポンのうち１０個の上に固体炭素が形成した。試験後、固体炭素をクーポンのいくつかから物理的に取り、表７に示される通り、ＢＥＴ比表面積に関して試験した。試験中に、約９．５９グラムの水をガスから収集した。
【００８２】
（表７）１５．２％Ｈ２、１３．０％ＣＯ、８．７％ＣＯ２、５９．９％ＣＨ４、および３．１５％Ａｒからの固体炭素形成
2015514670.tif 000010
【００８３】
予想実施例８
メタンガスを、中にスチールウールを含有する約６８０℃に維持したセラミック材料で裏打ちした第１の管状炉の中で、二酸化炭素ガスと１．２：１の比で混合する。メタンガスは、スチールウールの存在下で二酸化炭素ガスと反応して、単層カーボンナノチューブと、二酸化炭素、一酸化炭素、メタン、水、および水素の残留ガス混合物とを形成する。残留ガス混合物を、約５０℃で動作する凝縮器へ入れて、残留ガス混合物から液体の水を除去する。乾燥させた残留ガス混合物を、中にスチールウールを含有する約６８０℃に維持したセラミック材料で裏打ちした第２の管状炉の中へ入れる。乾燥させた反応ガス混合物中の二酸化炭素、一酸化炭素、メタン、および水素は、スチールウールの存在下で反応して、単層カーボンナノチューブと、水、メタン、および水素のテールガス混合物とを形成する。カーボンナノチューブが、スチールウールの表面上に集まる。侵入するテールガス混合物を、予備濃縮器へ再循環させる。
【００８４】
プロセスが一定時間進行した後、ガスの流れを停止し、炉および凝縮器を室温に冷却し、システムを不活性ガスでパージする。スチールウールを第２の管状炉から取り出し、カーボンナノチューブを、スチールウールから物理的に取る。カーボンナノチューブ上の残りの金属を、酸で洗浄することによって除去する。
【００８５】
予想実施例９
エタンガスを、中にスチールウールを含有する約６８０℃に維持したセラミック材料で裏打ちした第１の管状炉の中で、二酸化炭素ガスと１：１の比で混合する。エタンガスは、スチールウールの存在下で二酸化炭素ガスと反応して、単層カーボンナノチューブと、二酸化炭素、一酸化炭素、エタン、メタン、水、および水素の残留ガス混合物とを形成する。残留ガス混合物を、約５０℃で動作する凝縮器へ入れて、残留ガス混合物から液体の水を除去する。乾燥させた残留ガス混合物を、中にスチールウールを含有する約６８０℃に維持したセラミック材料で裏打ちした第２の管状炉の中へ入れる。乾燥させた反応ガス混合物中の二酸化炭素、一酸化炭素、エタン、メタン、および水素は、スチールウールの存在下で反応して、単層カーボンナノチューブと、水、エタン、メタン、および水素のテールガス混合物とを形成する。カーボンナノチューブが、スチールウールの表面上に集まる。侵入するテールガス混合物を、予備濃縮器へ再循環させる。
【００８６】
プロセスが一定時間進行した後、ガスの流れを停止し、炉および凝縮器を室温に冷却し、システムを不活性ガスでパージする。スチールウールを第２の管状炉から取り出し、カーボンナノチューブを、スチールウールから物理的に取る。カーボンナノチューブ上の残りの金属を、酸で洗浄することによって除去する。
【００８７】
予想実施例１０
水素ガスを、中にスチールウールを含有する約６８０℃に維持したセラミック材料で裏打ちした第１の管状炉の中で、二酸化炭素ガスと約２．１：１の比で混合する。水素ガスは、スチールウールの存在下で二酸化炭素ガスと反応して、単層カーボンナノチューブと、二酸化炭素、一酸化炭素、水、および水素の残留ガス混合物とを形成する。残留ガス混合物を、約５０℃で動作する凝縮器へ入れて、残留ガス混合物から液体の水を除去する。乾燥させた残留ガス混合物を、中にスチールウールを含有する約６８０℃に維持したセラミック材料で裏打ちした第２の管状炉の中へ入れる。乾燥させた反応ガス混合物中の二酸化炭素、一酸化炭素、および水素は、スチールウールの存在下で反応して、単層カーボンナノチューブと、水および水素のテールガス混合物とを形成する。カーボンナノチューブが、スチールウールの表面上に集まる。侵入するテールガス混合物を、予備濃縮器へ再循環させる。
【００８８】
プロセスが一定時間進行した後、ガスの流れを停止し、炉および凝縮器を室温に冷却し、システムを不活性ガスでパージする。スチールウールを第２の管状炉から取り出し、カーボンナノチューブを、スチールウールから物理的に取る。カーボンナノチューブ上の残りの金属を、酸で洗浄することによって除去する。
【００８９】
本開示は、従来の方法に比べていくつかの利点を有する。本方法の実施形態を説明してきたが、種々の修正および変更が、本開示の精神および範囲から逸脱することなく、当業者によってなされることができる。
【図１】
2015514670.tif 000012
【図２】
2015514670.tif 000013
【図３】
2015514670.tif 000014
【図４】
2015514670.tif 000015
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
酸化炭素含有ガスストリームから炭素を捕捉および隔離する方法であって、
少なくとも１種の酸化炭素と少なくとも１種の還元剤とを含む反応ガスストリームを、触媒の存在下で、第１の触媒変換器に通過させて、前記少なくとも１種の酸化炭素の少なくとも一部分と前記少なくとも１種の還元剤の少なくとも一部分とを、固体炭素と、水蒸気を含む中間ガスストリームとに変換することと、
前記第１の触媒変換器から前記第１の固体炭素生成物を取り出すことと、
前記中間ガスストリームから水を除去して、乾燥した中間ガスストリームを形成することと、
前記乾燥した中間ガスストリームを、第２の触媒変換器に通過させて、第２の固体炭素生成物とテールガスストリームとを形成することと、
前記第２の固体炭素生成物を前記第２の触媒変換器から取り出すことと、
前記テールガスストリームの少なくとも一部分を前記第１の触媒変換器に再循環させることと、を含む、前記方法。
【請求項２】
前記テールガスストリームの少なくとも一部分を前記第１の触媒変換器に再循環させることは、前記テールガスストリームを、機械冷凍の使用を伴わずに、前記第２の触媒変換器内で生成される水蒸気の少なくとも一部分の凝縮を引き起こすのに十分な圧力で再循環させることを含む、請求項１に記載の方法。
【請求項３】
前記テールガスストリームの少なくとも一部分を前記第１の触媒変換器に再循環させることは、前記テールガスストリームを、酸化炭素濃縮器に通過させることを含む、請求項１に記載の方法。
【請求項４】
前記テールガスストリームは、前記反応ガスストリームの未反応部分をさらに含む、請求項１に記載の方法。
【請求項５】
前記反応ガスストリームを、水素、アルカン、およびアルコール、またはそれらの混合物を含む還元ガスを含むように選択することをさらに含む、請求項１に記載の方法。
【請求項６】
前記反応ガスストリームを、主として二酸化炭素を含む酸化炭素を含むように選択することをさらに含む、請求項１に記載の方法。
【請求項７】
少なくとも１種の酸化炭素と少なくとも１種の還元剤とを含む前記反応ガスストリームを、触媒の存在下で、第１の触媒変換器に通過させることは、機械または電気エネルギーのさらなる投入を伴わずに、前記反応ガスストリームを前記触媒変換器を通して流すのに十分な圧力で、前記反応ガスストリームを導入することを含む、請求項１に記載の方法。
【請求項８】
前記テールガスストリームの少なくとも一部分を前記第１の触媒変換器に再循環させることは、
前記テールガスストリームを、前記テールガスストリームから水を除去することなく酸化炭素濃縮器へ送ることと、
前記水の少なくとも一部分と酸化炭素以外のガスの少なくとも一部分とを、前記酸化炭素濃縮器内で前記テールガスストリームから除去して、乾燥再循環ガスストリームを形成することと、
前記乾燥再循環ガスストリームの少なくとも一部分を前記反応ガスストリームと混合することと、を含む、請求項１に記載の方法。
【請求項９】
前記中間ガスストリームから水を除去することは、前記中間ガスストリームから水を凝縮して、約０℃未満の露点を有する乾燥した中間ガスストリームを生成することを含む、請求項１に記載の方法。
【請求項１０】
少なくとも１種の酸化炭素と少なくとも１種の還元剤とを含む反応ガスストリームを、触媒の存在下で、第１の触媒変換器に通過させることは、前記反応ガスストリームを、ボッシュ反応のための反応触媒と約４００℃を超える温度で接触させることを含む、請求項１に記載の方法。
【請求項１１】
少なくとも１種の酸化炭素と少なくとも１種の還元剤とを含む反応ガスストリームを、触媒の存在下で、第１の触媒変換器に通過させることは、グラファイト、グラフェン、カーボンブラック、煤、繊維状炭素、バックミンスターフラーレン、カーボンナノチューブ、カーボンプレートレット、およびナノダイヤモンドからなる群から選択される少なくとも１つの物質を形成することを含む、請求項１に記載の方法。
【請求項１２】
前記反応ガスストリームの少なくとも一部分を、前記少なくとも１種の酸化炭素の濃度を増大させるように希薄排出物源を濃縮することによって、前記希薄排出物源から分離することをさらに含む、請求項１に記載の方法。
【請求項１３】
前記希薄排出物源を濃縮することは、不活性ガスおよび炭化水素のうちの少なくとも１つを含む前記反応ガスストリームを形成することを含む、請求項１２に記載の方法。
【請求項１４】
少なくとも１種の酸化炭素と少なくとも１種の還元剤とを含む反応ガスストリームを、触媒の存在下で、第１の触媒変換器に通過させることは、前記反応ガスストリームを、元素周期表の５族〜１０族の元素、ランタニド、アクチニド、そのような元素の金属合金、およびそれらの組み合わせからなる群から選択される触媒材料に曝露することを含む、請求項１に記載の方法。
【請求項１５】
前記触媒材料は、Ｚｎ、Ｆｅ、Ｎｉ、Ｗ、Ｖ、Ｃｒ、Ｓｎ、Ｃｕ、Ｃｏ、Ｍｎ、およびＭｏのうちの少なくとも１つを含む、請求項１４に記載の方法。
【請求項１６】
前記触媒材料は、鋼、鋳鉄、または白鋳鉄のうちの少なくとも１つを含む、請求項１４に記載の方法。
【請求項１７】
前記触媒材料は、ショット、グリット、または粉末のうちの少なくとも１つの粒子を含む、請求項１４に記載の方法。
【請求項１８】
前記触媒材料は、プレート、シート、または箔のうちの少なくとも１つの形態の材料を含む、請求項１４に記載の方法。
【請求項１９】
前記触媒材料は、繊維を含む、請求項１４に記載の方法。
【請求項２０】
前記触媒材料は、スチールウールまたは刻まれたスチールウールを含む、請求項１９に記載の方法。
【手続補正２】
【補正対象書類名】明細書
【補正対象項目名】０００４
【補正方法】変更
【補正の内容】
【０００４】
追加的な情報は、以下の文書で開示され、それぞれの開示は、参照によりその全体が本明細書に組み込まれる。
１．Ｄａｌｌａｓ  Ｂ．  Ｎｏｙｅｓの名義で２０１２年４月１６日に出願された米国特許出願第６１／６２４，７０２号の恩典を主張する、「Ｍｅｔｈｏｄｓ  ａｎｄ  Ｓｔｒｕｃｔｕｒｅｓ  ｆｏｒ  Ｒｅｄｕｃｉｎｇ  Ｃａｒｂｏｎ  Ｏｘｉｄｅｓ  ｗｉｔｈ  Ｎｏｎ−Ｆｅｒｒｏｕｓ  Ｃａｔａｌｙｓｔｓ」について本願と同日に出願された、国際特許出願ＰＣＴ／ＵＳ２０１３／００００７２（代理人整理番号３５２５−Ｐ１０９４５．１ＰＣ）、
２．Ｄａｌｌａｓ  Ｂ．Ｎｏｙｅｓの名義で２０１２年４月１６日に出願された米国特許出願第６１／６２４，５７３号の恩典を主張する、「Ｍｅｔｈｏｄｓ  ａｎｄ  Ｓｙｓｔｅｍｓ  ｆｏｒ  Ｔｈｅｒｍａｌ  Ｅｎｅｒｇｙ  Ｒｅｃｏｖｅｒｙ  ｆｒｏｍ  Ｐｒｏｄｕｃｔｉｏｎ  ｏｆ  Ｓｏｌｉｄ  Ｃａｒｂｏｎ  Ｍａｔｅｒｉａｌｓ  ｂｙ  Ｒｅｄｕｃｉｎｇ  Ｃａｒｂｏｎ  Ｏｘｉｄｅｓ」について本願と同日に出願された、国際特許出願ＰＣＴ／ＵＳ２０１３／００００７６（代理人整理番号３５２５−Ｐ１０９４６．１ＰＣ）、
３．Ｄａｌｌａｓ  Ｂ．Ｎｏｙｅｓの名義で２０１２年４月１６日に出願された米国特許出願第６１／６２４，７２３号の恩典を主張する、「Ｍｅｔｈｏｄｓ  ｆｏｒ  Ｐｒｏｄｕｃｉｎｇ  Ｓｏｌｉｄ  Ｃａｒｂｏｎ  ｂｙ  Ｒｅｄｕｃｉｎｇ  Ｃａｒｂｏｎ  Ｄｉｏｘｉｄｅ」について本願と同日に出願された、国際特許出願ＰＣＴ／ＵＳ２０１３／００００７７（代理人整理番号３５２５−Ｐ１０９４７．１ＰＣ）、
４．Ｄａｌｌａｓ  Ｂ．Ｎｏｙｅｓの名義で２０１２年４月１６日に出願された米国特許出願第６１／６２４，７５３号の恩典を主張する、「Ｍｅｔｈｏｄｓ  ａｎｄ  Ｒｅａｃｔｏｒｓ  ｆｏｒ  Ｐｒｏｄｕｃｉｎｇ  Ｓｏｌｉｄ  Ｃａｒｂｏｎ  Ｎａｎｏｔｕｂｅｓ，Ｓｏｌｉｄ  Ｃａｒｂｏｎ  Ｃｌｕｓｔｅｒｓ，ａｎｄ  Ｆｏｒｅｓｔｓ」について本願と同日に出願された、国際特許出願ＰＣＴ／ＵＳ２０１３／００００７３（代理人整理番号３５２５−Ｐ１１００１．１ＰＣ）、
５．Ｄａｌｌａｓ  Ｂ．Ｎｏｙｅｓの名義で２０１２年４月１６日に出願された米国特許出願第６１／６２４，５１３号の恩典を主張する、「Ｍｅｔｈｏｄｓ  ｆｏｒ  Ｔｒｅａｔｉｎｇ  ａｎ  Ｏｆｆｇａｓ  Ｃｏｎｔａｉｎｉｎｇ  Ｃａｒｂｏｎ  Ｏｘｉｄｅｓ」について本願と同日に出願された、国際特許出願ＰＣＴ／ＵＳ２０１３／００００７５（代理人整理番号３５２５−Ｐ１１００２．１ＰＣ）、
６．Ｄａｌｌａｓ  Ｂ．Ｎｏｙｅｓの名義で２０１２年４月１６日に出願された米国特許出願第６１／６２４，８４８号の恩典を主張する、「Ｍｅｔｈｏｄｓ  ｆｏｒ  Ｕｓｉｎｇ  Ｍｅｔａｌ  Ｃａｔａｌｙｓｔｓ  ｉｎ  Ｃａｒｂｏｎ  Ｏｘｉｄｅ  Ｃａｔａｌｙｔｉｃ  Ｃｏｎｖｅｒｔｅｒｓ」について本願と同日に出願された、国際特許出願ＰＣＴ／ＵＳ２０１３／００００７１（代理人整理番号３５２５−Ｐ１１２４８．１ＰＣ）、
７．Ｄａｌｌａｓ  Ｂ．Ｎｏｙｅｓの名義で２０１２年７月１３日に出願された米国特許出願第６１／６７１，４６４号の恩典を主張する、「Ｍｅｔｈｏｄｓ  ａｎｄ  Ｓｙｓｔｅｍｓ  ｆｏｒ  Ｆｏｒｍｉｎｇ  Ａｍｍｏｎｉａ  ａｎｄ  Ｓｏｌｉｄ  Ｃａｒｂｏｎ  Ｐｒｏｄｕｃｔｓ」について本願と同日に出願された、国際特許出願ＰＣＴ／ＵＳ２０１３／００００７８（代理人整理番号３５２５−Ｐ１１３６１．１ＰＣ）、および
８．Ｄａｌｌａｓ  Ｂ．Ｎｏｙｅｓの名義で２０１２年４月２３日に出願された米国特許出願第６１／６３７，２２９号の恩典を主張する、「Ｃａｒｂｏｎ  Ｎａｎｏｔｕｂｅｓ  Ｈａｖｉｎｇ  ａ  Ｂｉｍｏｄａｌ  Ｓｉｚｅ  Ｄｉｓｔｒｉｂｕｔｉｏｎ」について本願と同日に出願された、国際特許出願ＰＣＴ／ＵＳ２０１３／００００７９（代理人整理番号３５２５−Ｐ１１７７１ＰＣ）。
【手続補正３】
【補正対象書類名】明細書
【補正対象項目名】００１８
【補正方法】変更
【補正の内容】
【００１８】
酸化炭素を含有するガス源から炭素を捕捉および隔離するためのシステムは、ガス源の酸化炭素内容物を濃縮して最初のプロセスガスストリームを形成するための濃縮器手段と、最初のプロセスガスストリームを触媒の存在下で還元剤と反応させて、固体炭素と、未反応酸化炭素、還元剤、および水蒸気を含む残留プロセスガスストリームとを生成するための反応器手段と、残留プロセスガスストリームから固体炭素を分離するための固体分離手段と、残留プロセスガスストリームの少なくとも一部分を再循環させてガス源と組み合わせるための再循環手段と、を含むことができる。
[本発明1001]
酸化炭素含有ガスストリームから炭素を捕捉および隔離する方法であって、
少なくとも1種の酸化炭素と少なくとも1種の還元剤とを含む反応ガスストリームを触媒変換器へ導入して、前記少なくとも1種の酸化炭素の少なくとも一部分と前記少なくとも1種の還元剤の少なくとも一部分とを、触媒の存在下で、固体炭素と、水蒸気を含有するテールガスストリームとに変換することと、
前記触媒変換器から固体炭素を取り出すことと、を含む、前記方法。
[本発明1002]
前記テールガスストリームの少なくとも一部分を前記触媒変換器に再循環させることをさらに含む前記方法であって、前記テールガスストリームの前記少なくとも一部分は、
最初のプロセスガスストリームからの未反応反応物質の一部分と、
前記触媒変換器内で生成される前記水蒸気の少なくとも一部分と、
を含む、本発明1001の方法。
[本発明1003]
前記テールガスストリームの少なくとも一部分を前記触媒変換器に再循環させることは、前記触媒変換器内で生成される前記水蒸気の少なくとも一部分を除去して、乾燥テールガスストリームを形成することと、前記乾燥テールガスストリームの少なくとも一部分を前記反応ガスストリームの少なくとも一部分として使用することと、を含む、本発明1002の方法。
[本発明1004]
前記テールガスストリームの少なくとも一部分を前記触媒変換器に再循環させることは、前記テールガスストリームを、機械冷凍の使用を伴わずに、前記触媒変換器内で生成される前記水蒸気の少なくとも一部分の凝縮を引き起こすのに十分な圧力で再循環させることを含む、本発明1003の方法。
[本発明1005]
前記テールガスストリームを前記反応ガスストリームと混合することをさらに含む、本発明1002の方法。
[本発明1006]
前記テールガスストリームの少なくとも一部分を前記触媒変換器に再循環させることは、前記テールガスストリームを、酸化炭素濃縮器に通過させることを含む、本発明1002の方法。
[本発明1007]
少なくとも1種の酸化炭素と少なくとも1種の還元剤とを含む反応ガスストリームを触媒変換器へ導入することは、前記少なくとも1種の酸化炭素の一部分を前記少なくとも1種の還元剤と触媒の存在下で反応させて、固体炭素と、水蒸気を含むテールガスストリームとを形成することを含む、本発明1001の方法。
[本発明1008]
前記テールガスストリームは、前記反応ガスストリームの未反応部分をさらに含む、本発明1001または1007の方法。
[本発明1009]
前記反応ガスストリームを、燃焼ガス排出物ストリーム、燃焼ガス排出物ストリームから分離された酸化炭素、プロセスオフガスストリーム、プロセスオフガスストリームから分離された酸化炭素、または合成ガスストリームのうちの少なくとも1つを含むように選択することをさらに含む、本発明1001の方法。
[本発明1010]
前記反応ガスストリームを、水素、アルカン、およびアルコール、またはそれらの混合物を含む還元ガスを含むように選択することをさらに含む、本発明1001の方法。
[本発明1011]
前記反応ガスストリームを、主として二酸化炭素を含む酸化炭素を含むように選択することをさらに含む、本発明1001の方法。
[本発明1012]
前記反応ガスストリームを、主として一酸化炭素を含む酸化炭素を含むように選択することをさらに含む、本発明1001の方法。
[本発明1013]
少なくとも1種の酸化炭素と少なくとも1種の還元剤とを含む前記反応ガスストリームを触媒変換器へ導入することは、機械または電気エネルギーのさらなる投入を伴わずに、前記最初のプロセスガスストリームを前記触媒変換器を通して流すのに十分な圧力で、前記最初のプロセスガスストリームを導入することを含む、本発明1001の方法。
[本発明1014]
機械または電気エネルギーを前記反応ガスストリームに追加することをさらに含む、本発明1001の方法。
[本発明1015]
少なくとも1種の酸化炭素と少なくとも1種の還元剤とを含む反応ガスストリームを触媒変換器へ導入することは、
前記反応ガスストリームを、第1の触媒変換器に通過させて、第1の固体炭素生成物と、水を含有する中間ガスストリームとを形成することと、
前記第1の触媒変換器から前記第1の固体炭素生成物を取り出すことと、
前記中間ガスストリームから水を除去して、乾燥した中間ガスストリームを形成することと、
前記乾燥した中間ガスストリームを、第2の触媒変換器に通過させて、第2の固体炭素生成物と前記テールガスストリームとを形成することと、
前記第2の固体炭素生成物を前記第2の触媒変換器から取り出すことと、
前記テールガスストリームの少なくとも一部分を前記第1の触媒変換器に再循環させることと、を含む、本発明1001の方法。
[本発明1016]
前記テールガスストリームの少なくとも一部分を前記触媒変換器に再循環させることは、
前記テールガスストリームを、前記テールガスストリームから水を除去することなく酸化炭素濃縮器へ送ることと、
前記水の少なくとも一部分と酸化炭素以外のガスの少なくとも一部分とを、前記酸化炭素濃縮器内で前記テールガスストリームから除去して、乾燥再循環ガスストリームを形成することと、
前記乾燥再循環ガスストリームの少なくとも一部分を前記反応ガスストリームと混合することと、を含む、本発明1002または1015の方法。
[本発明1017]
前記中間ガスストリームから水を除去することは、前記中間ガスストリームから水を凝縮して、選択された露点を有する乾燥した中間ガスストリームを生成することを含む、本発明1015の方法。
[本発明1018]
前記中間ガスストリームから水を除去することは、前記中間ガスストリームから水を凝縮して、約0℃未満の露点を有する乾燥した中間ガスストリームを生成することを含む、本発明1015の方法。
[本発明1019]
前記反応ガスストリームを精製して、少なくともいくらかの粒子状物質、少なくともいくらかの水蒸気、または少なくとも1種の不活性ガスを除去することをさらに含む、本発明1001の方法。
[本発明1020]
少なくとも1種の酸化炭素を含む最初のプロセスガスストリームを触媒変換器へ導入することは、前記最初のプロセスガスストリームを、ボッシュ反応のための反応触媒と約400℃を超える温度で接触させることを含む、本発明1001の方法。
[本発明1021]
少なくとも1種の酸化炭素を含む最初のプロセスガスストリームを触媒変換器へ導入することは、グラファイト、グラフェン、カーボンブラック、煤、繊維状炭素、バックミンスターフラーレン、カーボンナノチューブ、カーボンプレートレット、およびナノダイヤモンドのうちの少なくとも1つを形成することを含む、本発明1001の方法。
[本発明1022]
前記反応ガスストリームの少なくとも一部分を、前記少なくとも1種の酸化炭素の濃度を増大させるように希薄排出物源を濃縮することによって、前記希薄排出物源から分離することをさらに含む、本発明1001の方法。
[本発明1023]
前記希薄排出物源を濃縮することは、不活性ガスおよび炭化水素のうちの少なくとも1つを含む前記反応ガスストリームを形成することを含む、本発明1023の方法。
[本発明1024]
反応ガスストリームを触媒変換器へ導入することは、前記反応ガスストリームを、元素周期表の5族〜10族、ランタニド、アクチニド、そのような元素の金属合金、およびそれらの組み合わせからなる群から選択される触媒材料に曝露することを含む、本発明1001の方法。
[本発明1025]
前記触媒材料は、Ｚｎ、Ｆｅ、Ｎｉ、Ｗ、Ｖ、Ｃｒ、Ｓｎ、Ｃｕ、Ｃｏ、Ｍｎ、およびＭｏのうちの少なくとも1つを含む、本発明1024の方法。
[本発明1026]
前記触媒材料は、鋼、鋳鉄、または白鋳鉄のうちの少なくとも1つを含む、本発明1001の方法。
[本発明1027]
前記触媒材料は、ショット、グリット、または粉末のうちの少なくとも1つの粒子を含む、本発明1001の方法。
[本発明1028]
前記触媒材料は、プレート、シート、または箔のうちの少なくとも1つの形態の材料を含む、本発明1001の方法。
[本発明1029]
前記触媒材料は、繊維を含む、本発明1001の方法。
[本発明1030]
前記触媒材料は、スチールウールまたは刻まれたスチールウールを含む、本発明1029の方法。
[本発明1031]
酸化炭素を含有するガス源から炭素を隔離する方法であって、
前記ガス源の前記酸化炭素内容物を濃縮して、反応ガスストリームを形成することと、
前記反応ガスストリームを触媒の存在下で還元剤と反応させて、固体炭素と、未反応酸化炭素、未反応還元剤、および水蒸気を含むテールガスストリームとを生成することと、
前記固体炭素を前記テールガスストリームから分離することと、
前記テールガスストリームの少なくとも一部分を再循環させて、前記反応ガスストリームと組み合わせることと、を含む、前記方法。
[本発明1032]
前記最初のプロセスガスストリームを触媒の存在下で還元剤と反応させることは、前記ガス源中の前記酸化炭素の少なくとも10％を固体炭素に変換することを含む、本発明1031の方法。
[本発明1033]
前記水蒸気の少なくとも一部分を前記テールガスストリームから分離することをさらに含む、本発明1031のシステム。
[本発明1034]
酸化炭素を含有するガス源から炭素を隔離するためのシステムであって、
前記ガス源の前記酸化炭素内容物を濃縮して反応ガスストリームを形成するための濃縮器手段と、
前記反応ガスストリームを触媒の存在下で還元剤と反応させて、固体炭素と、未反応酸化炭素、還元剤、および水蒸気を含むテールガスストリームとを生成するための反応器手段と、
前記固体炭素を前記テールガスストリームから分離するための固体分離手段と、
前記テールガスストリームの少なくとも一部分を再循環させて、前記ガス源と組み合わせるための再循環手段と、を備える、前記システム。
[本発明1035]
前記反応器手段内で形成される前記水蒸気の少なくとも一部分を前記テールガスストリームから分離するための水分離手段をさらに備える、本発明1034のシステム。
[本発明1036]
少なくとも1つの構成要素の構築材料は、前記構成要素の運転条件下でメタルダスティング腐食を制限するように選択され、前記構成要素は、前記ガス源、前記反応ガスストリーム、および前記テールガスストリームのうちの少なくとも1つと接触するように構成される、本発明1034のシステム。
【国際調査報告】
2015514670.tif 000016
2015514670.tif 000017